(57)【要約】無線通信環境においてアイドル・ハンドオフを実行することを容易にするシステムおよび方法が記載される。基地局から受信したパイロットの信号品質が測定され、パイロットが受信された基地局のタイプ（例えば、フェムト、マクロ）が識別される。例によれば、基地局のタイプが、フェムト・セル基地局であると識別された場合、この基地局は、好ましいか、あるいは、好ましくないかの何れかであると認識されうる。さらに、パイロットの信号品質が、エントリしきい値を上回り、この基地局がフェムト・セル基地局であると識別された場合、リンガ・タイマが起動されうる。さらに、リンガ・タイマが終了すると、基地局から受信したパイロットの信号品質のその後の少なくとも１つの測定値に応じて、基地局へのアイドル・ハンドオフが実行されうる。
2011530264.tif 000002
【特許請求の範囲】
【請求項１】
方法であって、
受信された、基地局からのパイロットの信号品質を測定することと、
前記パイロットが受信された基地局が、フェムト・セル基地局であるか、マクロ・セル基地局であるかを識別することと、
前記パイロットの信号品質が、エントリしきい値を超え、前記基地局が、フェムト・セル基地局であると識別された場合、リンガ・タイマを起動することと、
前記リンガ・タイマが終了すると、前記基地局から受信したパイロットの信号品質のその後の少なくとも１つの測定値に応じて、前記基地局へのアイドル・ハンドオフを実行することと
を備える方法。
【請求項２】
前記信号品質は、キャリアで受信された合計の信号強度に対する、受信したパイロットの強度である請求項１に記載の方法。
【請求項３】
前記パイロットが受信された基地局が、フェムト・セル基地局であるか、あるいは、マクロ・セル基地局であるかを、好ましいユーザ・ゾーン・リスト（ＰＵＺＬ）、フェムト近隣リスト・メッセージ（ＦＮＬＭ）、アクセス・ポイント識別メッセージ（ＡＰＩＤＭ）、あるいは、プライマリ同期コード（ＰＳＣ）のうちの少なくとも１つに基づいて識別することをさらに備える請求項１に記載の方法。
【請求項４】
前記基地局が、フェムト・セル基地局であると識別された場合、前記基地局が好ましいか、好ましくないかを認識することをさらに備える請求項１に記載の方法。
【請求項５】
前記基地局が好ましいか、好ましくないかを区別するために、スリープ・サイクルの間、前記基地局のページング・チャネルを読み取ることをさらに備える請求項４に記載の方法。
【請求項６】
前記リンガ・タイマはパイロット毎ベースで実施される請求項１に記載の方法。
【請求項７】
前記リンガ・タイマに関連付けられた期間中、モバイル・デバイスは、前記リンガ・タイマが起動されているパイロットに対応する基地局へハンドオフすることなく、引き続きソース基地局に関連付けられている請求項１に記載の方法。
【請求項８】
前記パイロットの信号品質のその後の１つの測定値を取得することをさらに備える請求項１に記載の方法。
【請求項９】
前記パイロットの信号品質のその後の１つの測定値が前記エントリしきい値を上回り、前記基地局が、好ましいフェムト・セル基地局であると認識された場合、前記リンガ・タイマが終了すると、前記基地局へのアイドル・ハンドオフを有効にすることをさらに備える請求項８に記載の方法。
【請求項１０】
前記パイロットの信号品質のその後の１つの測定値が、前記エントリしきい値を上回り、前記基地局が、好ましくないフェムト・セル基地局であると識別された場合、前記リンガ・タイマが終了すると、前記基地局へのアイドル・ハンドオフを実行するかを検出するために、少なくとも１つのアイドル・ハンドオフ条件を評価することをさらに備える請求項８に記載の方法。
【請求項１１】
前記リンガ・タイマが起動されると、前記リンガ・タイマが終了するまで、前記パイロットの信号品質を連続的に測定することと、
前記パイロットの信号品質が、前記エントリしきい値を下回ったことが検出されると、前記リンガ・タイマを休止させることと
をさらに備える請求項１に記載の方法。
【請求項１２】
前記リンガ・タイマが起動されると、前記パイロットの信号品質をＮ回測定することをさらに備え、Ｎは整数である請求項１に記載の方法。
【請求項１３】
Ｎ個のサンプルの平均がしきい値を超えるかに少なくとも部分的に基づいて、前記基地局へのアイドル・ハンドオフを有効にするかを判定することをさらに備える請求項１２に記載の方法。
【請求項１４】
前記Ｎ個のサンプルのうちの少なくともＭ個が、前記エントリしきい値を上回っているかに少なくとも部分的に応じて、前記基地局へのアイドル・ハンドオフを実行するかを選択することをさらに備え、Ｍは、Ｎ以下の整数である請求項１２に記載の方法。
【請求項１５】
モバイル・デバイスが現在キャンプしているソース基地局から受信した現在のパイロットの条件が、あるレベルを下回る場合、前記リンガ・タイマを無視することをさらに備える請求項１に記載の方法。
【請求項１６】
前記基地局が好ましいフェムト・セル基地局である場合、前記モバイル・デバイスによって開始されるべきコールを行うために、前記リンガ・タイマの終了を待つことなく前記基地局に入ることをさらに備える請求項１に記載の方法。
【請求項１７】
前記リンガ・タイマが終了すると、マクロ・セル基地局から、好ましい第１のフェムト・セル基地局として識別された前記基地局へハンドオフすることをさらに備える請求項１に記載の方法。
【請求項１８】
前記好ましい第１のフェムト・セル基地局から受信したパイロットの測定された信号品質が、好ましくない近隣のフェムト・セル基地局または近隣のマクロ・セル基地局のうちの少なくとも１つからのパイロットの信号品質と独立しているドロップしきい値を上回っている間、前記好ましい第１のフェムト・セル基地局に引き続き関連付けられることをさらに備える請求項１７に記載の方法。
【請求項１９】
リンガ・タイマを実施することなく、前記好ましい第１のフェムト・セル基地局から受信したパイロットの、測定された信号品質よりも高い信号品質を持つ他のパイロットに関連付けられた、好ましい第２のフェムト・セル基地局へハンドオフすることをさらに備える請求項１７に記載の方法。
【請求項２０】
無線通信装置であって、
受信された、基地局からのパイロットの信号品質をモニタし、
前記パイロットが受信された基地局のタイプを識別し、
前記基地局のタイプが、フェムト・セル基地局であると識別された場合、前記基地局が、好ましいか、あるいは、好ましくないかを認識し、
前記パイロットの信号品質がエントリしきい値を上回り、前記基地局のタイプが、フェムト・セル基地局であると識別された場合、リンガ・タイマを起動し、
前記リンガ・タイマが終了すると、前記基地局から受信したパイロットの信号品質のその後の少なくとも１つの測定値と、前記基地局が好ましいか、あるいは好ましくないと認識されたかに応じて、前記基地局へのアイドル・ハンドオフを有効にする
ように構成された少なくとも１つのプロセッサを備える無線通信装置。
【請求項２１】
前記パイロットが受信された基地局のタイプを、好ましいユーザ・ゾーン・リスト（ＰＵＺＬ）、フェムト近隣リスト・メッセージ（ＦＮＬＭ）、アクセス・ポイント識別メッセージ（ＡＰＩＤＭ）、あるいは、プライマリ同期コード（ＰＳＣ）のうちの少なくとも１つに基づいて識別するように構成された少なくとも１つのプロセッサをさらに備える請求項２０に記載の無線通信装置。
【請求項２２】
前記基地局が好ましいか、好ましくないかを認識するために、スリープ・サイクルの間、前記基地局のページング・チャネルを読み取るように構成された少なくとも１つのプロセッサをさらに備える請求項２０に記載の無線通信装置。
【請求項２３】
前記リンガ・タイマはパイロット毎ベースで実施される請求項２０に記載の無線通信装置。
【請求項２４】
前記パイロットの信号品質のその後の少なくとも１つの測定値が前記エントリしきい値を上回り、前記基地局が、好ましいフェムト・セル基地局であると認識された場合、前記リンガ・タイマが終了すると、前記基地局へのアイドル・ハンドオフを有効にするように構成された少なくとも１つのプロセッサをさらに備える請求項２０に記載の無線通信装置。
【請求項２５】
前記パイロットの信号品質のその後の少なくとも１つの測定値が、前記エントリしきい値を上回り、前記基地局が、好ましくないフェムト・セル基地局であると識別された場合、前記リンガ・タイマが終了すると、前記基地局へのアイドル・ハンドオフを実行するかを検出するために、少なくとも１つのアイドル・ハンドオフ条件を評価するように構成された少なくとも１つのプロセッサをさらに備える請求項２０に記載の無線通信装置。
【請求項２６】
モバイル・デバイスが現在キャンプしているソース基地局から受信した現在のパイロットの信号品質が、あるレベルを下回る場合、前記リンガ・タイマを無視するように構成された少なくとも１つのプロセッサをさらに備える請求項２０に記載の無線通信装置。
【請求項２７】
前記基地局が好ましいフェムト・セル基地局である場合、前記モバイル・デバイスによって開始されるべきコールを行うために、前記リンガ・タイマの終了を待つことなく前記基地局に入るように構成された少なくとも１つのプロセッサをさらに備える請求項２０に記載の無線通信装置。
【請求項２８】
前記好ましいフェムト・セル基地局からのパイロットの信号品質が、ドロップしきい値を上回っている限り、好ましくないフェムト・セル基地局またはマクロ・セル基地局のうちの１つへハンドオフするのではなく、好ましいフェムト・セル基地局へキャンプし続けるように構成された少なくとも１つのプロセッサをさらに備える請求項２０に記載の無線通信装置。
【請求項２９】
装置であって、
基地局から取得したパイロットの信号品質を測定する手段と、
前記パイロットが取得された前記基地局のタイプを認識する手段と、
前記パイロットの信号品質がエントリしきい値を上回り、前記基地局が、フェムト・セル基地局であると認識された場合、リンガ・タイマを起動する手段と、
前記リンガ・タイマが終了すると、前記基地局から取得されたパイロットの信号品質の１または複数のその後の測定値に基づいて、前記基地局へのアイドル・ハンドオフを有効にする手段と
を備える装置。
【請求項３０】
前記基地局が好ましいか、好ましくないかを識別する手段をさらに備える請求項２９に記載の装置。
【請求項３１】
前記パイロットの信号品質がドロップしきい値を上回っている間、前記基地局が好ましいフェムト・セル基地局である場合、引き続き前記基地局に関連付ける手段をさらに備える請求項３０に記載の装置。
【請求項３２】
前記リンガ・タイマはパイロット毎ベースで適用される請求項２９に記載の装置。
【請求項３３】
前記信号品質は、キャリアで受信された合計の信号強度に対する、受信したパイロットの強度である請求項２９に記載の装置。
【請求項３４】
コンピュータ読取可能媒体を備えるコンピュータ・プログラム製品であって、
前記コンピュータ読取可能媒体は、
少なくとも１つのコンピュータに対して、基地局からの、受信されたパイロットの信号品質を測定させるためのコードと、
少なくとも１つのコンピュータに対して、前記パイロットが受信された基地局が、フェムト・セル基地局であるか、マクロ・セル基地局であるかを識別させるためのコードと、
少なくとも１つのコンピュータに対して、前記パイロットの信号品質がエントリしきい値を超え、前記基地局がフェムト・セル基地局であると識別された場合、リンガ・タイマを起動させるためのコードと、
少なくとも１つのコンピュータに対して、前記リンガ・タイマが終了すると、前記基地局から受信したパイロットの信号品質のその後の少なくとも１つの測定値に応じて、前記基地局へのアイドル・ハンドオフを実行させるためのコードと
を備えるコンピュータ・プログラム製品。
【請求項３５】
前記コンピュータ読取可能媒体は、
少なくとも１つのコンピュータに対して、前記パイロットが受信された基地局が、フェムト・セル基地局であるか、あるいは、マクロ・セル基地局であるかを、好ましいユーザ・ゾーン・リスト（ＰＵＺＬ）、フェムト近隣リスト・メッセージ（ＦＮＬＭ）、アクセス・ポイント識別メッセージ（ＡＰＩＤＭ）、あるいは、プライマリ同期コード（ＰＳＣ）のうちの少なくとも１つに基づいて識別させるためのコードをさらに備える請求項３４に記載のコンピュータ・プログラム製品。
【請求項３６】
前記コンピュータ読取可能媒体は、前記基地局が、フェムト・セル基地局であると識別された場合、少なくとも１つのコンピュータに対して、前記基地局が好ましいか、好ましくないかを認識させるためのコードをさらに備える請求項３４に記載のコンピュータ・プログラム製品。
【請求項３７】
前記リンガ・タイマに関連付けられた期間中、モバイル・デバイスは、前記リンガ・タイマが起動されているパイロットに対応する基地局へハンドオフすることなく、引き続きソース基地局に関連付けられる請求項３４に記載のコンピュータ・プログラム製品。
【請求項３８】
前記コンピュータ読取可能媒体は、少なくとも１つのプロセッサに対して、前記パイロットの信号品質のその後の少なくとも１つの測定値が前記エントリしきい値を上回り、前記基地局が、好ましいフェムト・セル基地局であると認識された場合、前記リンガ・タイマが終了すると、前記基地局へのアイドル・ハンドオフを有効にさせるためのコードをさらに備える請求項３４に記載のコンピュータ・プログラム製品。
【請求項３９】
前記コンピュータ読取可能媒体は、少なくとも１つのコンピュータに対して、前記パイロットの信号品質のその後の少なくとも１つの測定値が、前記エントリしきい値を上回り、前記基地局が、好ましくないフェムト・セル基地局であると識別された場合、前記リンガ・タイマが終了すると、前記基地局へのアイドル・ハンドオフを実行するかを検出するために、少なくとも１つのアイドル・ハンドオフ条件を評価させるためのコードをさらに備える請求項３４に記載のコンピュータ・プログラム製品。
【請求項４０】
前記コンピュータ読取可能媒体は、少なくとも１つのコンピュータに対して、好ましくないフェムト・セル基地局またはマクロ・セル基地局に優先して、好ましいフェムト・セル基地局との関連付けを維持させるためのコードをさらに備える請求項３４に記載のコンピュータ・プログラム製品。
【請求項４１】
装置であって、
１または複数の基地局から受信したおのおののパイロットの信号品質を評価するパイロット強度測定構成要素と、
前記受信したおのおののパイロットが、フェムト・セル基地局に対応するか、あるいは、マクロ・セル基地局に対応するかを検出するタイプ識別構成要素と、
エントリしきい値を超えるものと前記パイロット強度測定要素によって検出された信号品質を持つフェムト・セル基地局に対応すると認識された特定のパイロットについて、リンガ・タイマを起動する、タイマ構成要素と、
前記リンガ・タイマの終了時に、前記フェムト・セル基地局へのアイドル・ハンドオーバを実行するかを評価するハンドオーバ選択構成要素と
を備える装置。
【請求項４２】
前記フェムト・セル基地局が、好ましいフェムト・セル基地局であるか、好ましくないフェムト・セル基地局であるかを検出するプリファレンス認識構成要素をさらに備える請求項４１に記載の装置。
【発明の詳細な説明】
【優先権主張】
【０００１】
本願は、本明細書に参照によって明確に組み込まれ、本願の譲受人に譲渡され、２００８年８月４日に出願され、“ＳＹＳＴＥＭ  ＡＮＤ  ＭＥＴＨＯＤ  ＦＯＲ  ＥＮＨＡＮＣＥＤ  ＩＤＬＥ  ＨＡＮＤＯＦＦ  ＴＯ  ＳＵＰＰＯＲＴ  ＦＥＭＴＯ  ＣＥＬＬＳ”と題された仮出願６１／０８６，１１号に対する優先権を主張する。
【技術分野】
【０００２】
以下の記載は、一般に、無線通信に関し、さらに詳しくは、無線通信環境において、モバイル・デバイスによって有効とされたアイドル・ハンドオフを強化するために、リンガ・タイマ（linger timer）を導入することに関する。
【背景技術】
【０００３】
無線通信システムは、例えば、音声、データ等のようなさまざまなタイプの通信コンテンツを提供するために広く開発された。一般的な無線通信システムは、利用可能なシステム・リソース（例えば、帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
ヘテロジニアスな無線通信システムは一般に、さまざまなタイプの基地局を含みうる。それらのおのおのは、異なるセル・サイズに関連付けられうる。例えば、マクロ・セル基地局は、一般に、マスト、屋上、その他の既存の構造等の上に搭載されたアンテナ（単数または複数）を導入する。さらに、マクロ・セル基地局はしばしば、数１０ワットのオーダの電力出力を有しており、広いエリアのために有効通信範囲を提供しうる。フェムト・セル基地局は、最近出現した別のクラスの基地局である。フェムト・セル基地局は一般に、住居または小規模なビジネス環境のために設計されており、バックホールのための既存のブロードバンド・インターネット接続（例えば、デジタル加入者ライン（ＤＳＬ）、ケーブル）やモバイル・デバイスと通信するために、無線技術（例えば、３ＧＰＰユニバーサル・モバイル・テレコミュニケーション・システム（ＵＭＴＳ）またはロング・ターム・イボリューション（ＬＴＥ）、１ｘイボリューション・データ・オプティマイズド（１ｘＥＶ−ＤＯ））を用いて、モバイル・デバイスに無線有効通信範囲を提供しうる。フェムト・セル基地局はまた、ホーム・ノードＢ（ＨＮＢ）、フェムト・セル等とも称される。他のタイプの基地局の例は、ピコ・セル基地局、ミクロ・セル基地局等を含む。
【０００６】
さまざまなタイプの基地局を含んでいる無線通信システムでは、モバイル・デバイスは、フェムト・セル基地局に関連付けられた有効通信範囲エリアに繰り返し出入りしうる。車によるシナリオ、あるいは、徒歩によるシナリオの下では、モバイル・デバイスは、頻繁にフェムト・セル基地局に遭遇する場合があり、フェムト・ネットワークとマクロ・ネットワークとの間で切り替わる可能性がある。例えば、モバイル・デバイスは、従来、フェムト・セル基地局に登録し、その後、直ちに、フェムト・セル基地局を離れうる（例えば、近くのマクロ・セル基地局に登録する）。したがって、再選択および登録が不必要に実行されうる。これは、（例えば、近くのマクロ・セル基地局から）フェムト・セル基地局に入ること、および、（近くのマクロ・セル基地局へ戻るために）フェムト・セル基地局を出ること、に対応するネットワーク・トラフィック（例えば、登録に関連付けられた負荷）の増加をもたらす。さらに、不必要な再選択および登録は、モバイル・デバイスの待機時間（例えば、バッテリ寿命）に不利なインパクトを与えうる。
【０００７】
さらに、モバイル・デバイスのモビリティを評価するための一般的なメトリックは、信頼性が低い。例えば、セル内での高いモビリティが、低いモビリティと見なされる一方、静止しているモバイル・デバイスが、ラジオ周波数（ＲＦ）の変動によって、高いモビリティを有するものと宣言されることがある。したがって、従来技術は、モバイル・デバイスのモビリティを十分に説明することができない。別の例によれば、モバイル・デバイスが、フェムト・セル基地局を無視する（例えば、マクロ・セル基地局からフェムト・セル基地局への引渡しを控える）場合、例えば、欠落コール、喪失ページ等をもたらすさまざまな問題が生じる。
【発明の概要】
【０００８】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００９】
１または複数の実施形態および対応する開示によれば、さまざまな態様は、無線通信環境においてアイドル・ハンドオフを実行することに関して記載される。受信された、基地局からのパイロットの信号品質が測定され、このパイロットが送信された基地局のタイプ（例えば、フェムト・セル）が識別される。例によれば、基地局のタイプが、フェムト・セル基地局であると識別された場合、この基地局は、好ましいか、あるいは、好ましくないかの何れかであると認識されうる。さらに、パイロットの信号品質が、エントリしきい値を超え、基地局がフェムト・セル基地局であると識別された場合、リンガ・タイマが起動されうる。さらに、リンガ・タイマが終了すると、基地局から受信したパイロットの信号品質のその後の少なくとも１つの測定値に応じて、基地局へのアイドル・ハンドオフが実行されうる。
【００１０】
関連する態様によれば、本明細書では、方法が記載される。この方法は、受信された、基地局からのパイロットの信号品質を測定することを含みうる。さらに、この方法は、パイロットが受信された基地局が、フェムト・セル基地局であるか、マクロ・セル基地局であるかを識別することを含みうる。さらに、この方法は、パイロットの信号品質が、エントリしきい値を超え、基地局が、フェムト・セル基地局であると識別された場合、リンガ・タイマを起動することを備えうる。この方法はまた、リンガ・タイマが終了すると、基地局から受信したパイロットの信号品質のその後の少なくとも１つの測定値に応じて、基地局へのアイドル・ハンドオフを実行することを含みうる。
【００１１】
別の態様は、無線通信装置に関する。この無線通信装置は、少なくとも１つのプロセッサを含みうる。少なくとも１つのプロセッサは、受信された、基地局からのパイロットの信号品質をモニタするように構成されうる。この少なくとも１つのプロセッサはまた、パイロットが受信された基地局のタイプを識別するように構成されうる。さらに、この少なくとも１つのプロセッサは、基地局のタイプが、フェムト・セル基地局であると識別された場合、この基地局は、好ましいか、あるいは、好ましくないと認識されるように構成されうる。さらに、少なくとも１つのプロセッサは、このパイロットの信号品質がエントリしきい値を上回り、基地局のタイプが、フェムト・セル基地局であると識別された場合、リンガ・タイマを起動するように構成されうる。この少なくとも１つのプロセッサはさらに、リンガ・タイマが終了すると、基地局から受信したパイロットの信号品質のその後の少なくとも１つの測定値と、この基地局が好ましいか、あるいは好ましくないと認識されたかに応じて、基地局へのアイドル・ハンドオフを有効にするように構成されうる。
【００１２】
また、別の態様は、無線通信装置に関する。この無線通信装置は、基地局から取得したパイロットの信号品質を測定する手段を含みうる。さらに、この無線通信装置は、パイロットが取得された基地局のタイプを認識する手段を含みうる。さらに、この無線通信装置は、パイロットの信号品質がエントリしきい値を上回り、基地局が、フェムト・セル基地局であると認識された場合、リンガ・タイマを起動する手段を含みうる。さらに、この無線通信装置は、リンガ・タイマが終了すると、基地局から取得されたパイロットの信号品質の１または複数のその後の測定値に基づいて、基地局へのアイドル・ハンドオフを有効にする手段を備えうる。
【００１３】
また、別の態様は、コンピュータ読取可能媒体を備えうるコンピュータ・プログラム製品に関する。このコンピュータ読取可能媒体は、少なくとも１つのコンピュータに対して、基地局からの、受信されたパイロットの信号品質を測定させるためのコードを含みうる。このコンピュータ読取可能媒体はさらに、少なくとも１つのコンピュータに対して、パイロットが受信された基地局が、フェムト・セル基地局であるか、マクロ・セル基地局であるかを識別させるためのコードを備えうる。さらに、このコンピュータ読取可能媒体は、少なくとも１つのコンピュータに対して、パイロットの信号品質がエントリしきい値を超え、基地局がフェムト・セル基地局であると識別された場合、リンガ・タイマを起動させるためのコードを含みうる。さらに、このコンピュータ読取可能媒体は、少なくとも１つのコンピュータに対して、リンガ・タイマが終了すると、基地局から受信したパイロットの信号品質のその後の少なくとも１つの測定値に応じて、基地局へのアイドル・ハンドオフを実行させるためのコードを含みうる。
【００１４】
さらに別の態様は、１または複数の基地局から受信したおのおののパイロットの信号品質を評価するパイロット強度測定構成要素を含む装置に関する。さらに、この装置は、受信したおのおののパイロットが、フェムト・セル基地局に対応するか、あるいは、マクロ・セル基地局に対応するかを検出するタイプ識別構成要素を含みうる。この装置はまた、エントリしきい値を超えるものとパイロット強度測定要素によって検出された信号品質を持つフェムト・セル基地局に対応すると認識された特定のパイロットについて、リンガ・タイマを起動する、タイマ構成要素を含みうる。さらに、この装置は、リンガ・タイマの終了時に、フェムト・セル基地局へのアイドル・ハンドオーバを実行するかを評価するハンドオーバ選択構成要素を含みうる。
【００１５】
前述した目的および関連する目的を達成するために、１または複数の実施形態は、後に十分に記載され、特許請求の範囲において特に指摘されている特徴を備える。次の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１６】
【図１】図１は、本明細書に記載されたさまざまな態様にしたがう無線通信システムの例示である。
【図２】図２は、無線通信環境におけるアイドル・ハンドオフに関連してリンガ・タイマを適用するシステムの例示である。
【図３】図３は、無線通信環境において、基地局のタイプを認識することを容易にするシステムの例示である。
【図４】図４は、無線通信環境において、リンガ・タイマを導入することによって、モバイル・デバイスが、ソース基地局から別の基地局へハンドオフできるようにするシステムの例示である。
【図５】図５は、無線通信環境において、モバイル・デバイスが、他の基地局（例えば、好ましくないフェムト・セル基地局、マクロ・セル基地局）に優先して、好ましいフェムト・セル基地局に引き続き関連付けられるようにするシステムの例示である。
【図６】図６は、無線通信環境において、アイドル・ハンドオフ手順に関連してオフ周波数スキャン（off frequency scans）を実行するシステムの例示である。
【図７】図７は、無線通信環境において、アイドル・ハンドオフを有効にするかを評価することを容易にする方法の例示である。
【図８】図８は、無線通信環境において、好ましいフェムト・セル基地局との関連付け維持することを容易にする方法の例示である。
【図９】図９は、無線通信環境において、好ましいフェムト・セル基地局のセットのために第１のリンガ・タイマを、好ましくないフェムト・セル基地局のセットのために第２のリンガ・タイマを利用することを容易にする方法の例示である。
【図１０】図１０は、無線通信システムにおいて、アイドル・ハンドオフを実行するかを評価するモバイル・デバイスの例示である。
【図１１】図１１は、無線通信環境においてパイロットを送信するシステムの例示である。
【図１２】図１２は、本明細書の教示が実現される、多くのユーザをサポートするように構成された無線通信システムの例示である。
【図１３】図１３は、ネットワーク環境内に１または複数のフェムト・ノードが適用される通信システムの例示である。
【図１４】図１４は、おのおのがいくつかのマクロ有効通信範囲エリアを含んでいるいくつかのトラッキング・エリア（あるいは、ルーティング・エリアまたはロケーション・エリア）が定義されている有効通信範囲マップの例示である。
【図１５】図１５は、本明細書で開示されたされたさまざまなシステムおよび方法と共に適用されうる無線ネットワーク環境の例示である。
【図１６】図１６は、無線通信環境において、アイドル・ハンドオフを有効にすることを可能にするシステムの例示である。
【発明を実施するための形態】
【００１７】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００１８】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００１９】
さらに、本明細書では、さまざまな態様が、有線端末または無線端末でありうる端末に関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは無線モデムに接続されたその他の処理デバイスでありうる。さらに、本明細書では、さまざまな態様が、基地局に関して記載される。基地局は、無線端末と通信するために利用することができ、アクセス・ポイント、ノードＢ、イボルブド・ノードＢ（ｅＮｏｄｅ  Ｂ、ｅＮＢ）、あるいはその他のいくつかの用語で称されうる。
【００２０】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２１】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびウルトラ・モバイル・ブロードバンド（ＵＭＢ）は、“第３世代パートナシップ計画２”（３ＧＰＰ２）と命名された機構からの文書に記載されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２２】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２３】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハードディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２４】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２５】
基地局１０２は、例えばモバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２６】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００２７】
システム１００は、アイドル・ハンドオフ手順の効率的なパフォーマンスを支援しうる。例えば、基地局１０２は、マクロ・セル基地局、フェムト・セル基地局等でありうる。さらに、近隣基地局（単数または複数）（図示せず）は、基地局１０２の近傍に位置しており、これら近傍基地局（単数または複数）は、マクロ・セル基地局（単数または複数）、フェムト・セル基地局（単数または複数）等でありうる。モバイル・デバイス１１６、１２２はおのおの、基地局１０２および近隣基地局（単数または複数）によってそれぞれ送信されたパイロットを取得しうる。例えば、パイロットは、モバイル・デバイス１１６、１２２によって実行されたアイドル・モード探索中に受信されうる。さらに、モバイル・デバイス１１６、１２２は、取得したパイロットの強度、信号品質等を測定しうる。
【００２８】
さらに、モバイル・デバイス（例えば、モバイル・デバイス１１６、モバイル・デバイス１２２）は、受信したパイロットが、マクロ・セル基地局から発せされたものであるか、フェムト・セル基地局から発せされたものであるか（例えば、受信したパイロットが、マクロ・パイロットであるか、あるいは、フェムト・パイロットであるか）を識別しうる。フェムト・セル基地局から送信されたパイロットの強度、信号品質等が、エントリしきい値を上回ることを検出すると、モバイル・デバイスは、リンガ・タイマを起動しうる。リンガ・タイマが終了すると、モバイル・デバイスは、フェムト・セル基地局から受信したパイロットに関連する、１または複数のその後の強度測定値、信号品質等に少なくとも部分的に基づいて、フェムト・セル基地局へのアイドル・ハンドオフを実行するかを分析しうる。
【００２９】
したがって、（例えば、基地局１０２、近隣基地局のような）ソース基地局にキャンプした場合、フェムト・セル基地局は、フェムト・セル基地局に対応するパイロットが、エントリしきい値を上回っていると検出された時点において、モバイル・デバイスによって、ハンドオフの候補として識別されうる。そして、モバイル・デバイスは、その時点において、リンガ・タイマを起動しうる。例えば、ソース基地局が、マクロ・セル基地局である（例えば、マクロ・セル基地局から、識別されたフェムト・セル基地局へと移行した）場合、あるいは、別のネットワークに属するフェムト・セル基地局へと移行した（例えば、第１のネットワークに属するフェムト・セル基地局から、別の第２のネットワークに属する、識別されたフェムト・セル基地局へ移行した）場合、リンガ・タイマが適用されうる。モバイル・デバイスは、リンガ・タイマに関連付けられた期間の終了まで待って、フェムト・セル基地局へのハンドオフを行うか、および／または、フェムト・セル基地局へのハンドオフを有効にするかを評価する。したがって、モバイル・デバイスは、リンガ・タイマに関連付けられた期間中、ソース基地局にキャンプし続ける。ソース基地局へのキャンプし続けることによって、フェムト・セル基地局へのハンドオフと、モバイル・デバイスがモビリティ・シナリオの下で動作している場合に従来技術を適用しているとしばしば遭遇する、ソース基地局への復帰との間の迅速な移行とが緩和されうる。モバイル・デバイスは、再選択および／または登録を有効にする前に、リンガ・タイマによって示された少なくとも最短期間の間、フェムト・セル基地局を認識することができる。前述したリンガ・タイマを導入することによって、モバイル・デバイスの待機時間が、著しく改善されうる。さらに、フェムト・セル基地局への不必要な登録に対応する高価な量のネットワーク・トラフィックが、前述したリンガ・タイマを利用することによって低減されうる。
【００３０】
さらに、フェムト・セル基地局は、モバイル・デバイス（例えば、モバイル・デバイス１１６、モバイル・デバイス１２２）のために好ましいか、あるいは、好ましくはない。したがって、モバイル・デバイスは、好ましいフェムト・セル基地局と、好ましくないフェムト・セル基地局とを区別しうる。さらに、好ましいフェムト・セル基地局のサービスが強化された（例えば、好ましいフェムト・セル基地局が、モバイル・デバイスのために好ましい課金に関連付けられうる）と仮定すると、モバイル・デバイスは、好ましいフェムト・セル基地局に積極的に関連する。さらに、モバイル・デバイスは、好ましいフェムト・セル基地局において有効なサービスがサポートされている限り、好ましいフェムト・セル基地局からのパイロットが、（例えば、好ましくないフェムト・セル基地局（単数または複数）、マクロ・セル基地局（単数または複数）からの）他のパイロットよりも弱い場合であっても、好ましいフェムト・セル基地局からのハンドオフを差し控えうる。
【００３１】
図２に示すように、無線通信環境において、アイドル・ハンドオフに関連するリンガ・タイマを適用するシステム２００が例示されている。システム２００は、情報、信号、データ、命令群、コマンド、ビット、シンボル等を送信および／または受信しうるモバイル・デバイス２０２を含む。モバイル・デバイス２０２は、順方向リンクおよび／または逆方向リンクによって、ソース基地局２０４と通信しうる。ソース基地局２０４は、情報、信号、データ、命令群、コマンド、ビット、シンボル等を送信および／または受信しうる。ソース基地局２０４は、任意のタイプの基地局（例えばフェムト・セル基地局、ピコ・セル基地局、ミクロ・セル基地局、マクロ・セル基地局）でありうる。さらに、システム２００は、任意の数の他の基地局（例えば、他の基地局１  ２０６、・・・、他の基地局Ｘ  ２０８、ここで、Ｘは、実質的に任意の整数でありうる）を含みうる。これら他の基地局２０６−２０８はおのおの、ソース基地局２０４に実質的に類似しうる。他の基地局２０６−２０８はおのおの、任意のタイプの基地局（例えばフェムト・セル基地局、ピコ・セル基地局、ミクロ・セル基地局、マクロ・セル基地局）でありうることが認識されるべきである。さらに、図示していないが、モバイル・デバイス２０２に類似の任意の数のモバイル・デバイスが、システム２００に含まれうることが考慮される。
【００３２】
モバイル・デバイス２０２は、ソース基地局２０４にキャンプしうる。さらに、モバイル・デバイス２０２は、アイドル・モードにある間、近くに位置する別の基地局（単数または複数）２０６−２０８から送信されたパイロットを求める探索を有効にしうる。本明細書においてより詳細に説明されるように、探索の一部として受信されたパイロット（例えば、発見されたパイロット（単数または複数）、ソース基地局２０４および／または別の基地局（単数または複数）２０６−２０８からのパイロット（単数または複数））に少なくとも部分的に基づいて、モバイル・デバイス２０２は、他の基地局（単数または複数）２０６−２０８のうちの特定の１つへのハンドオフを選択しうる。
【００３３】
モバイル・デバイス２０２は、受信したおのおののパイロットの信号品質を評価しうるパイロット強度測定構成要素２１０を含みうる（例えば、パイロット（単数または複数）は、ソース基地局２０４、他の基地局１  ２０６、・・・、他の基地局Ｘ  ２０８のうちの１または複数から受信されうる）。例によれば、パイロット強度測定構成要素２１０は、おのおのの得られたパイロットに関連付けられた強度を測定しうる。さらなる例によれば、パイロット強度測定構成要素２１０は、受信したパイロットの信号品質を、受信した合計の信号強度に対する、受信したパイロット強度として分析しうる。この例によれば、パイロット強度測定構成要素２１０は、受信したおのおののパイロットの信号品質（Ｅｃｐ／Ｉｏ）を導出するために、キャリアで受信したパイロット信号強度（Ｅｃｐ）と、合計の信号強度（Ｉｏ）とを測定する。しかしながら、パイロットに関連するその他任意のタイプの測定値も、特許請求の範囲のスコープ内に含まれることが意図されるものと認識されるべきである。
【００３４】
さらに、モバイル・デバイス２０２は、受信したおのおののパイロットが、フェムト・セル基地局に対応しているか、マクロ・セル基地局に対応しているか（例えば、受信したおのおののパイロットが、フェムト・セル基地局によって送信されたか、あるいは、マクロ・セル基地局によって送信されたか、受信したおのおののパイロットが、フェムト・パイロットであるか、あるいは、マクロ・パイロットであるか）を検出するタイプ識別構成要素２１２を含みうる。したがって、パイロットが、モバイル・デバイス２０２によって他の基地局１  ２０６から取得された場合、タイプ識別構成要素２１２は、他の基地局１  ２０６が、フェムト・セル基地局であるか、あるいは、マクロ・セル基地局であるかを判別しうる。例えば、タイプ識別構成要素２１２は、好適ユーザ・ゾーン・リスト（ＰＵＺＬ）、フェムト近隣リスト・メッセージ（ＦＮＬＭ）、および／または、その他任意の学習技術を利用することによって、マクロ・パイロットであるパイロットと、所与の領域内のフェムト・パイロットとを識別しうる。
【００３５】
モバイル・デバイス２０２は、さらにリンガ・タイマを実現するタイマ構成要素２１４を含みうる。リンガ・タイマは、モバイル・デバイス２０２が、フェムト・セル基地局の有効通信範囲エリア内にある期間を測定するために利用されうる。例によれば、タイマ構成要素２１４は、パイロット強度測定構成要素２１０によって、エントリしきい値を上回っていると検出された信号品質を持つ（例えば、タイプ識別構成要素２１２によって識別された）パイロットをフェムト・セル基地局から受信すると、リンガ・タイマを起動しうる（例えば、フェムト・セル基地局に関連付けられた検出された信号品質は、フェムト・セル基地局が、再選択に適切であることを意味する）。例えば、モバイル・デバイス２０２は、リンガ・タイマに関連付けられた期間中、不連続受信（ＤＲＸ）アクティビティを再開しうる。さらに、タイマ構成要素２１４によって制御され、リンガ・タイマが終了すると、モバイル・デバイス２０２は、そのようなパイロットの信号品質のその後の１または複数の測定値に基づいて、受信したパイロットに関連付けられたフェムト・セル基地局へのアイドル・ハンドオフを実行するかを評価しうる。
【００３６】
（例えば、他の基地局２０６−２０８のうちの１つである）フェムト・セル基地局へハンドオフするかを選択する場合、タイマ構成要素２１４は、リンガ・タイマを実行する一方、（例えば、モバイル・デバイス２０２がハンドオフすることを選択する他の基地局２０６−２０８のうちの１つである）マクロ・セル基地局へハンドオフするかを評価する場合、タイマ構成要素２１４は、リンガ・タイマを適用する必要は無い。リンガ・タイマは、マクロ・セル基地局からハンドオフする（例えば、ソース基地局２０４が、マクロ・セル基地局である）場合に、タイマ構成要素２１４によって実行されうる。しかしながら、そのようなフェムト・セル基地局が、共有のネットワークに属しており。１つのフェムト・セル基地局から、他のフェムト・セル基地局へハンドオフする場合、リンガリングは、適用される必要は無い（例えば、共有のキャンパス規模のネットワークにともに含まれるフェムト・セル基地局を超えて移動する場合、従来のアイドル・ハンドオフ手順が使用されうる）。したがって、モバイル・デバイス２０２が、現在、好ましいフェムト・セル基地局（例えば、ソース基地局２０４）にキャンプしている場合、タイマ構成要素２１４は、近くの好ましいフェムト・セル基地局へハンドオフすることに関連して使用されるべきリンガ・タイマを提供する必要は無い。そうではなく、近くの好ましいフェムト・セル基地局（例えば、他の基地局２０６−２０８のうちの１つ）が、好ましいフェムト・セル・ソース基地局２０４からのパイロットと比較して高い信号品質を持つパイロットに関連付けられている場合、モバイル・デバイス２０２は、リンガ・タイマを用いることなく、近くの好ましいフェムト・セル基地局へとハンドオフしうる。
【００３７】
タイマ構成要素２１４によって実現されるリンガ・タイマを用いることによって、フェムト・セル基地局の再選択と、歩行や車による移動に関するその後の登録を回避することができる。したがって、マクロ・セル基地局とフェムト・セル基地局との間のピン・ポン選択が緩和され、これによって、モバイル・デバイス２０２の待機時間を改善し、不必要なネットワーク・トラフィックを低減させる。
【００３８】
例によれば、タイマ構成要素２１４によって設定されるリンガ・タイマの期間は、３分未満（例えば、１８０秒未満、６０乃至１８０秒、１分）である。しかしながら、権利主張される主題は、リンガ・タイマの任意の期間をカバーすることが意図されることが考慮されるべきである。さらに、リンガ・タイマの期間は、事前設定されたり、動的に決定されたり、（例えば、オペレータによって）設定可能とされる等されうる。さらに、リンガ・タイマの期間は、固定されたり、異なる時間において、所与のフェムト・セル基地局に入る場合に変更されたり、別のフェムト・セル基地局に入る場合に変更されたり等されうる。別の例によれば、タイマ構成要素２１４によって管理されるリンガ・タイマは、一連のサンプリング時間に対応しうる。したがって、タイマ構成要素２１４によって制御されるように、Ｎ個のサンプルのシリーズからなるパイロット品質が、パイロット強度測定構成要素２１０によって生成されうる。ここで、Ｎは、実質的に任意の整数でありうる。
【００３９】
タイマ構成要素２１４によって提供されるリンガ・タイマは、例えば、パイロット毎ベースで適用されうる。この例によれば、複数のフェムト・セル基地局（例えば、複数の他の基地局２０６−２０８）からの複数のパイロットが、おのおのエントリしきい値を上回ると認識された場合、これら複数のパイロットのおのおのについて、それぞれのリンガ・タイマが導入されうる。これらリンガ・タイマのうちの１つが終了すると、モバイル・デバイス２０２は、対応するフェムト・セル基地局へハンドオフするかを評価しうる（例えば、モバイル・デバイス２０２は、対応するフェムト・セル基地局へハンドオフし、その後、フェムト・セル基地局のうちの他の１つが、より高い信号品質を有している場合には、これらフェムト・セル基地局のうちの他の１つへとハンドオフしうる）。別の例示によれば、複数のリンガ・タイマのうちの１つが終了すると、モバイル・デバイス２０２は、ハンドオフ決定を有効にする前に、他のリンガ・タイマのうちの１または複数が終了するのを待つ（例えば、ハンドオフするかを分析する前に、より高い信号品質を持つパイロットに関連付けられたリンガ・タイマが終了するのを待つ）。さらなる例によれば、タイマ構成要素２１４は、すべてのパイロットに対して１つのリンガ・タイマを、基地局のおのおののタイプ毎に１つのリンガ・タイマを（例えば、好ましいフェムト・セル基地局について１つのリンガ・タイマを、好ましくないフェムト・セル基地局について他のリンガ・タイマを）適用する等を行う。
【００４０】
さらに、モバイル・デバイス２０２は、リンガ・タイマの終了時に、ソース基地局２０４からフェムト・セル基地局へのアイドル・ハンドオフを実行するかに関する前述した評価を有効にしうるハンドオーバ選択構成要素２１６を含みうる。ハンドオーバ選択構成要素２１６は、例えば、フェムト・セル基地局からのパイロットの信号品質のその後の１または複数の測定値に応じて、フェムト・セル基地局へのハンドオフを選択しうる。さらに、ハンドオーバ選択構成要素２１６は、フェムト・セル基地局が、好ましいか、あるいは、好ましくないかに基づいて、アイドル・ハンドオフを有効にすべきかを評価しうる。別の例示によれば、ハンドオーバ選択構成要素２１６は、ソース基地局２０４から、他のタイプの基地局へハンドオフすることを選択しうる。さらに、ハンドオーバ選択構成要素２１６は、前述したハンドオフに関連する評価に基づいて、ソース基地局２０４から、他の基地局２０６−２０８（単数または複数）のうちの特定の１つへハンドオフを有効にしうる。
【００４１】
例によれば、ハンドオーバ選択構成要素２１６は、リンガ・タイマの終了時または終了後に獲得されたフェムト・セル基地局からのパイロットの信号品質のその後の測定値に基づいて、ハンドオフを有効にするかを分析しうる。別の例によれば、フェムト・セル基地局からのパイロットの信号品質が、リンガ・タイマに関連付けられた期間中に連続的に測定され、ハンドオーバ選択構成要素２１６が、これら連続的な測定値に基づいて、ハンドオフを実行すべきかを評価しうる。別の例によれば、リンガ・タイマの起動後（例えば、リンガ・タイマに関連付けられた期間中、および／または、リンガ・タイマの終了時／終了後）、フェムト・セル基地局から、パイロットの信号品質の多くのサンプルが収集され、ハンドオーバ選択構成要素２１６が、これら多くのサンプルに基づいて、フェムト・セル基地局へハンドオフすべきかを分析しうる。この例によれば、（例えば、所与の周期内に、あるいは、予め定めた期間内に）Ｎ個のサンプルが取得され、実質的に任意の方式で処理されうる。ここで、Ｎは、実質的に任意の整数である。例えば、これらＮ個のサンプルは平均化されうる。さらに、フィルタリングが適用され、Ｎ個のサンプルのうちの少なくともＭ個がエントリしきい値を上回っているかが認識されうる。ここで、Ｍは、Ｎ以下になるような実質的に任意の整数である。しかしながら、権利主張される主題は、前述した例に限定されないことが認識されるべきである。
【００４２】
次に図３に示すように、無線通信環境において、基地局のタイプを認識することを容易にするシステム３００が例示される。システム３００は、モバイル・デバイス２０２、ソース基地局２０４、および１または複数の他の基地局２０６−２０８を含む。モバイル・デバイス２０２は、ソース基地局２０４、および／または、１または複数の他の基地局（単数または複数）２０６−２０８からのパイロットの探索および発見を行いうる。モバイル・デバイス２０２はさらに、タイプ識別構成要素２１２を含みうる。これは、おのおののパイロットが取得される基地局のタイプを識別しうる。したがって、タイプ識別構成要素２１２は、おのおののパイロットがフェムト・セル基地局からのものであるか、マクロ・セル基地局からのものであるかを評価しうる。
【００４３】
モバイル・デバイス２０２はさらに、フェムト・セル基地局が、好ましいフェムト・セル基地局であるか、あるいは、好ましくないフェムト・セル基地局であるかを検出するプリファランス認識構成要素３０２を含みうる。例えば、モバイル・デバイス２０２は、他の基地局１  ２０６から送信されたパイロットに遭遇しうる。また、タイプ識別構成要素２１２は、他の基地局１  ２０６が、フェムト・セル基地局であるか、マクロ・セル基地局であるかを検出しうる。この例にしたがい、かつ、他の基地局１  ２０６が、タイプ識別構成要素２１２によって、フェムト・セル基地局であると認識されたと仮定すると、プリファランス認識構成要素３０２は、他の基地局１  ２０６が、モバイル・デバイス２０２に好ましいフェムト・セル基地局であるか、好ましくないフェムト・セル基地局であるかを分析しうる。
【００４４】
別の例によれば、好ましいフェムト・セル基地局が、モバイル・デバイス２０２によって差別的にサポートされているかを規定する設定が指定される。例えば、これら設定は、オペレータによって制御されるか、モバイル・デバイス２０２のユーザによってイネーブルされる等される。この設定がイネーブルされると、モバイル・デバイス２０２は、水平方向の近傍および垂直方向の近傍の両方において、好ましいフェムト・セル基地局を積極的に探索しうる。さらに、そのような設定がイネーブルされた場合、好ましいフェムト・セル基地局との積極的な関連付けをイネーブルするしきい値が、モバイル・デバイス２０２によって導入されうる。
【００４５】
例によれば、タイプ識別構成要素２１２は、パイロットに関連付けられたプライマリ同期符号（ＰＳＣ）に応じて、（例えば、モバイル・デバイス２０２によって受信される）パイロットを送信した基地局（例えば、ソース基地局２０４、他の基地局１  ２０６、・・・、他の基地局Ｘ  ２０８）が、フェムト・セル基地局であるか、マクロ・セル基地局であるかを検出しうる。例えば、無線通信環境内の基地局によってＰＳＣのセットが導入されうる。前述した例によれば、ＰＳＣのサブセットが、フェムト・セル基地局による使用のために確保される一方、他のＰＳＣが、マクロ・セル基地局によって適用される。したがって、タイプ識別構成要素２１２は、受信したパイロットに対応する特定のＰＳＣが、フェムト・セル基地局による利用のために確保されているか否かを判別しうる。特定のＰＳＣが、フェムト・セル基地局による使用のために確保されていると識別された場合、そのパイロットが受信された基地局が、タイプ識別構成要素２１２によって、フェムト・セル基地局として認識されうる。そうでない場合、そのパイロットが取得された基地局が、タイプ識別構成要素２１２によって、マクロ・セル基地局として識別されうる。フェムト・セル基地局による利用のために確保されたＰＳＣのサブセットを指定する情報は、マクロ・ブロードキャストによって、モバイル・デバイス２０２（および／または、他のモバイル・デバイス（単数または複数））へ配信され、これら情報等が、モバイル・デバイス２０２にプロビジョン等されうることが認識されうる。
【００４６】
モバイル・デバイス２０２はさらに、発見構成要素３０４、メッセージ評価構成要素３０６、データベース分析構成要素３０８、および／または、メモリ３１０を含みうる。例示によれば、タイプ識別構成要素２１２は、発見構成要素３０４、メッセージ評価構成要素３０６、および／または、フェムト・セル基地局からのパイロットとマクロ・セル基地局からのパイロットとを見分けるデータベース分析構成要素３０８のうちの１または複数を導入しうる。
【００４７】
発見構成要素３０４は、モバイル・デバイス２０２（例えば、タイプ識別構成要素２１２）が、基地局によって送信されたアクセス・ポイント識別メッセージ（ＡＰＩＤＭ）（例えば、フェムト識別メッセージ（ＦＩＤＭ））を評価することによって、そのパイロットが取得された基地局がフェムト・セル基地局であるか、あるいは、マクロ・セル基地局であるかを発見できるようにする。ソース基地局２０４および他の基地局（単数または複数）２０６−２０８はおのおの、それぞれのＡＰＩＤＭを送信しうる。発見構成要素３０４は、送信されたＡＰＩＤＭ（複数）のうちの１または複数を受信し、対応するＡＰＤＩＭに含まれる情報に基づいて、そのＡＰＤＩＭが取得されたおのおのの基地局に関連付けられた各タイプ（例えば、マクロ・セル基地局、フェムト・セル基地局）を検出しうる。
【００４８】
メッセージ評価構成要素３０６は、基地局のタイプを検出するために、受信したフェムト近隣リスト・メッセージ（ＦＮＬＭ）を調べうる。例えば、基地局（例えば、ソース基地局２０４、他の基地局１  ２０６、・・・、他の基地局Ｘ  ２０８）は、その近傍内のフェムト・セル基地局（単数または複数）を特定するフェムト近隣リストに含まれうる。さらに、フェムト近隣リストは、その近傍内のフェムト・セル基地局（単数または複数）によって利用されているパラメータを示しうる。これらパラメータの例は、疑似雑音（ＰＮ）オフセット、周波数、チャネル等を含みうる。したがって、基地局は、フェムト近隣リストに関する情報を含むＦＮＬＭを生成し、このＦＮＬＭが、モバイル・デバイス２０２（および／または、その他任意のモバイル・デバイス（単数または複数））へ送信されうる。したがって、メッセージ評価構成要素３０６は、フェムト・セル基地局（単数または複数）に対応するパラメータ（単数または複数）を識別するために、受信したＦＮＬＭを分析しうる。さらに、メッセージ評価構成要素３０６は、パイロットに関連付けられたパラメータ（単数または複数）を、ＦＮＬＭ（または受信された複数のＦＮＬＭ）で指定されたパラメータと比較することによって、基地局（例えば、他の基地局１  ２０６、・・・、他の基地局Ｘ  ２０８）から受信したパイロットが、フェムト・パイロットであるか、あるいは、マクロ・パイロットであるかを区別しうる。
【００４９】
データベース分析構成要素３０８は、基地局が、フェムト・セル基地局であるか、マクロ・セル基地局であるかを区別するために、好適ユーザ・ゾーン・リスト（ＰＵＺＬ）を評価しうる。ＰＵＺＬは、タイプ識別構成要素２１２が、マクロ・セル基地局からフェムト・セル基地局を識別することを支援する、メモリ３１０に保持されたデータベースでありうる。そのようなフェムト・セル基地局を識別するために、マクロ・ゾーン内の利用可能なフェムト・セル基地局のみならず、メトリックをも示すために、ＰＵＺＬがプロビジョンされる。別の例示によれば、メモリ３１０に保持されたＰＵＺＬに含まれるエントリが、モバイル・デバイス２０２によって学習されうる。
【００５０】
さらに、プリファランス認識構成要素３０２は、好ましいフェムト・セル基地局と、好ましくないフェムト・セル基地局とを区別するために、発見構成要素３０４、メッセージ評価構成要素３０６、および／または、データベース分析構成要素３０８のうちの１または複数を導入しうることが考慮される。さらに、あるいは、その代わりに、プリファランス認識構成要素３０２は、フェムト・セル基地局から取得したパイロットに関連付けられたＰＳＣに基づいて、このフェムト・セル基地局が、好ましいか、好ましくないかを識別しうる。例えば、（例えば、そのパイロットが受信された）他の基地局１  ２０６が、フェムト・セル基地局であると認識される（タイプ識別構成要素２１２によって有効とされる）と、プリファランス認識構成要素３０２は、他の基地局１  ２０６が、好ましいフェムト・セル基地局であるか、あるいは、好ましくないフェムト・セル基地局であるかを認識するために、データベース分析構成要素３０８を用いて、メモリ３１０に保持されたＰＵＺＬデータベースを評価しうる。しかしながら、権利主張される主題は、前述の例に限定されないことが認識されるべきである。
【００５１】
さらなる例によれば、プリファランス認識構成要素３０２は、フェムト・セル基地局へのアイドル・ハンドオフを実行することなく、フェムト・セル基地局のページング・チャネルを読み取ることによって、フェムト・セル基地局が、好ましいか、あるいは、好ましくないかを検出しうる。したがって、このフェムト・セル基地局が、好ましいか、あるいは、好ましくないかを区別するために、プリファランス認識構成要素３０２によって、オーバヘッド情報が読み取られうる。この例によれば、喪失ページを避けるために、モバイル・デバイス２０２のスリープ・サイクルの間、ページング・チャネルの読み取りが有効とされうる。したがって、モバイル・デバイス２０２が、ソース基地局２０４からのページをモニタしていない期間や、モバイル・デバイス２０２が一般にスリープ・モードへ移行する期間が、代わりに、他の基地局（単数または複数）２０６−２０８のページング・チャネルを読み取るために使用され、好ましいフェムト・セル基地局と好ましくないフェムト・セル基地局とを区別するために、プリファランス認識構成要素３０２によって使用される情報が収集される。例示によれば、モバイル・デバイス２０２は、モバイル・デバイス２０２が現在キャンプしているソース基地局２０４のみならず、他の基地局（単数または複数）２０６−２０８からのページを取得するために、単一の受信機を利用しうる。しかしながら、権利主張される主題は、それに限定されない。さらに、好ましいフェムト・セル基地局への可能性のあるアイドル・ハンドオフを実行する前に、ブロードキャストされた情報を読み取ることによって、好ましいフェムト・セル基地局の誤検出を減らしうる。さらなる例によれば、モバイル・デバイス２０２によって開始されたコールによって、前の動作が放棄されうる。さらに、１Ｘページング・スロットおよびＤＯページング・スロットに関連付けられた同時問題を考慮するために、ＡＰＩＤＭ送信（例えば、ＦＩＤＭ送信）が調整されうる（例えば、近隣において可能性のあるパイロットの情報を読み取るためにハイブリッド・モード動作が導入され、例えば同じＡＰＩＤＭのような同じ情報を得るために、１ＸおよびＤＯが読み取られうる。）。
【００５２】
図４に移って、無線通信環境において、リンガ・タイマを導入することによって、モバイル・デバイス（例えば、モバイル・デバイス２０２）が、ソース基地局（例えば、ソース基地局２０４）から他の基地局（例えば、他の基地局（単数または複数）２０６−２０８のうちの１つ）へハンドオフすることを可能にするシステム４００が例示される。モバイル・デバイス２０２は、本明細書に記載されているように、パイロット強度測定構成要素２１、タイプ識別構成要素２１２、タイマ構成要素２１４、ハンドオーバ選択構成要素２１６、および、プリファランス認識構成要素３０２を含みうる。
【００５３】
モバイル・デバイス２０２は、ソース基地局２０４にキャンプすることができる。ソース基地局２０４にキャンプしている間、モバイル・デバイス２０２は、他の基地局２０６−２０８からのパイロットを発見しうる。パイロットを取得すると、パイロット強度測定構成要素２１０は、これらパイロットのおのおのの信号品質をそれぞれ評価しうる。さらに、タイプ識別構成要素２１２は、おのおののパイロットが、フェムト・パイロットであるか、あるいは、マクロ・パイロットであるか（例えば、所与のパイロットがそれぞれ送信される他の基地局２０６−２０８のうちの対応する１つが、フェムト・セル基地局であるか、あるいは、マクロ・セル基地局であるか）を識別しうる。
【００５４】
ハンドオーバ選択構成要素２１６は、パイロットの信号品質をエントリしきい値と比較するしきい値分析構成要素４０２を含みうる。この比較に基づいて、ハンドオーバ選択構成要素２１６は、そのパイロットが取得された基地局を、ハンドオフのターゲットとして好ましい候補であると識別しうる。例えば、フェムト・セル基地局からの特定のパイロットの信号品質が、エントリしきい値を超えるものとしきい値分析構成要素４０２が認識した場合、タイマ構成要素２１４は、（例えば、しきい値分析構成要素４０２がこの信号品質を、エントリしきい値と比較した時点において、特定のパイロットに対応するフェムト・セル基地局へとハンドオフすることなく）特定のパイロットに対応するリンガ・タイマを起動しうる。このリンガ・タイマに関連付けられた期間の終了後、ハンドオーバ選択構成要素２１６は、この特定のパイロットに関連付けられたフェムト・セル基地局へハンドオフするかを評価しうる。さらに、モバイル・デバイス２０２は、リンガ・タイマに関連付けられた期間が終了するまで、ソース基地局２０４にキャンプし続けうる。
【００５５】
例によれば、しきい値分析構成要素４０２は、そのパイロットが送信された基地局のタイプ、あるいは、この基地局が好ましいか、好ましくないかに関わらず、同じエントリしきい値を導入しうる（例えば、好ましいフェムト・セル基地局、好ましくないフェムト・セル基地局、およびマクロ・セル基地局のために共通のエントリしきい値が使用されうる。）。別の例によれば、しきい値分析構成要素４０２は、パイロットを送信した基地局のタイプ、および／または、この基地局が好ましいか、あるいは、好ましくないかに依存して、異なるエントリしきい値を利用することができる（例えば、好ましいフェムト・セル基地局と、好ましくないフェムト・セル基地局とで、異なるエントリしきい値が使用され、フェムト・セル基地局と、マクロ・セル基地局とで、異なるエントリしきい値が使用されうる。）。したがって、この例によれば、しきい値分析構成要素４０２が、タイプ識別構成要素２１２によって認識されたパイロットの基地局タイプ、および／または、プリファランス認識構成要素３０２によって識別されたように、基地局が好ましいか、あるいは、好ましくないか、に対応して、適切なエントリしきい値を適用しうる。
【００５６】
さらに、ハンドオーバ選択構成要素２１６は、リンガ・タイマに関連付けられた期間が終了すると、基地局へのハンドオフを有効にするかを選択するエントリ構成要素４０４を含みうる。例によれば、リンガ・タイマが終了した場合、エントリ構成要素４０４は、リンガ・タイマの終了時、あるいは、終了後に、好ましいフェムト・セル基地局からのパイロットの信号品質が、（例えば、パイロット強度測定構成要素２１０によって評価されたような）エントリしきい値を上回っている限り、好ましいフェムト・セル基地局（例えば、タイプ識別構成要素２１２によって、フェムト・セル基地局であると識別され、プリファランス認識構成要素３０２によってモバイル・デバイス２０２に好ましいと識別された、他の基地局１  ２０６、・・・、他の基地局Ｘ  ２０８のうちの１つ）へハンドオフすることを選択しうる。この例によれば、エントリ構成要素４０４は、ソース基地局２０４またはその他の近隣基地局（例えば、モバイル・デバイス２０２がハンドオフする好ましいフェムト・セル基地局以外の他の基地局（単数または複数）２０６−２０８）の信号品質に関わらず、好ましいフェムト・セル基地局へハンドオフすることを選択しうる。
【００５７】
別の例によれば、エントリ構成要素４０４は、関連するリンガ・タイマが終了した場合、好ましくないフェムト・セル基地局（例えば、タイプ識別構成要素２１２によってフェムト・セル基地局であると識別され、プリファランス認識構成要素３０２によって、モバイル・デバイス２０２のために好ましくないと識別された、他の基地局１  ２０６、・・・、他の基地局Ｘ  ２０８のうちの１つ）へハンドオフすることを選択するアイドル・ハンドオフ条件を評価しうる。アイドル・ハンドオフ条件が満足されているとエントリ構成要素４０４が認識すると、モバイル・デバイス２０２は、好ましくないフェムト・セル基地局へ入りうる。同様に、エントリ構成要素４０４は、マクロ・セル基地局（例えば、タイプ識別構成要素２１２によってマクロ・セル基地局であると識別された、他の基地局１  ２０６、・・・、他の基地局Ｘ  ２０８のうちの１つ）へハンドオフするかを評価する場合に、アイドル・ハンドオフ条件を分析しうる。したがって、好ましくないフェムト・セル基地局、あるいは、マクロ・セル基地局へ入るかを選択する場合、エントリ構成要素４０４によって、アイドル・ハンドオフ条件（例えば、アイドル・ハンドオフ基準、マクロ・セル基地局および好ましくないフェムト・セル基地局のための現在のアイドル・ハンドオフしきい値）が導入されうる。一方、好ましいフェムト・セル基地局へ入るかを評価する場合、エントリ構成要素４０４は、アイドル・ハンドオフ条件を考慮する必要はない（例えば、モバイル・デバイス２０２は、リンガ・タイマの終了後、フェムト・セル基地局からのパイロットの信号品質と、エントリしきい値との比較に基づいて、アイドル・ハンドオフ条件を考慮することなく、好ましいフェムト・セル基地局へ入る。）。
【００５８】
エントリ構成要素４０４によって考慮されるアイドル・ハンドオフ条件は、（例えば、他の基地局２０６−２０８に関連付けられた）近隣タイプでありうる。例えば、近隣タイプの例は、安価な近隣（例えば、オーバヘッド情報が利用可能な近隣）、高価な近隣（例えば、オーバヘッド情報が利用可能ではない近隣）、および、登録近隣（例えば、モバイル・デバイス２０２が、そのような近隣への移行への登録を実行する）を含みうる。さらに、エントリ構成要素４０４は、好ましいフェムト・セル近隣および好ましくないフェムト・セル近隣に関連するさらなる近隣タイプを考慮しうる。
【００５９】
例によれば、ソース基地局２０４は、マクロ・セル基地局であることができ、モバイル・デバイス２０２は、（例えば、他の基地局２０６−２０８のうちの１つのような）好ましくないフェムト・セル基地局からパイロットを取得しうる。パイロット強度測定構成要素２１０は、パイロットの信号品質が、エントリしきい値を上回っているとして測定し、タイプ識別構成要素２１２は、このパイロットが、フェムト・セル基地局から発信されたものであると認識し、プリファランス認識構成要素３０２は、このフェムト・セル基地局が、好ましくないと識別しうる。（例えば、しきい値分析構成要素４０２によって評価されるように）信号品質が、エントリしきい値を超えていると評価されると、タイマ構成要素２１４が、リンガ・タイマを起動しうる。リンガ・タイマが終了すると、エントリ構成要素４０４は、アイドル・ハンドオフ条件を評価しうる。特に、エントリ構成要素４０４は、好ましくないフェムト・セル基地局からのパイロットの信号品質が、ソース基地局２０４（例えば、マクロ・セル基地局）からのパイロットの信号品質を少なくとも３ｄＢ（あるいは、その他任意のヒステリシス・レベル）上回っているかを分析しうる。好ましくないフェムト・セル基地局からのパイロットの信号品質が、ソース基地局２０４からのパイロットの信号品質よりも、少なくとも３ｄＢ大きい場合、エントリ構成要素４０４は、モバイル・デバイス２０２を、好ましくないフェムト・セル基地局へ入らせうる。そのようなシナリオの下では、マクロ・セル基地局にある間、喪失ページを減らすために、好ましくないフェムト・セル基地局へと入れられる。しかしながら、権利主張される主題は、前述の例に限定されないことが認識されるべきである。
【００６０】
ハンドオーバ選択構成要素２１６はさらに、キャンプ・パイロット低下構成要素４０６を含みうる。キャンプ・パイロット低下構成要素４０６は、モバイル・デバイス２０２が現在キャンプしているソース基地局２０４からのパイロットに関連付けられた信号品質が、予め定めたレベルを下回っていることを識別しうる。したがって、キャンプ・パイロット低下構成要素４０６は、タイマ構成要素２１４によって設定されたリンガ・タイマが無視されるようにする。リンガ・タイマをディセーブルすることによって、ハンドオーバ選択構成要素２１６は、ソース基地局２０４からの信号品質が、最小しきい値レベルよりも低下し、モバイル・デバイス２０２のためのサービスに不適切になった場合、遅れることなく、（例えば、他の基地局（単数または複数）２０６−２０８のうちの１つである）ターゲット基地局へハンドオフしうる。
【００６１】
別の例によれば、ハンドオーバ選択構成要素２１６は、モバイル・デバイス２０２が、（例えば、他の基地局（単数または複数）２０６−２０８のうちの１つである）好ましいフェムト・セル基地局の近傍内でコールを発信した場合に、リンガ・タイマをディセーブルするコール開始構成要素４０８を含みうる。モバイル・デバイス２０２は、コールを開始する前に、（例えば、ソース基地局２０４のような）マクロ・セル基地局へキャンプしうる。好ましいフェムト・セル基地局にある間にモバイル・デバイス２０２によってなされたコールは、マクロ・セル基地局にある間にモバイル・デバイス２０２によってなされたコールと比べて、優先的に課金されうる（例えば、無料であったり、定額料金に含まれる）。したがって、パイロット強度測定構成要素２１０によって、エントリしきい値を上回ると測定された（例えば、しきい値分析構成要素４０２によって認識された）信号品質を持つモバイル・デバイス２０２が、（例えば、他の基地局（単数または複数）２０６−２０８のうちの１つのような）好ましいフェムト・セル基地局の近傍内にある場合、コール開始構成要素４０８は、リンガ・タイマの終了を待つことなく、モバイル・デバイス２０２によって開始されるべきコールを行うために、好ましいフェムト・セル基地局に入ることを可能にしうる。したがって、コール開始構成要素４０８を適用することによって、モバイル・デバイス２０２は、好ましいフェムト・セル基地局へハンドオフする前に、好ましいフェムト・セル基地局からの干渉（例えば、干渉によってコールを喪失する可能性のあること）に遭遇しながら、かつ、コールについて高いレートで課金されながら、マクロ・セル基地局においてコールを開始する必要はない。さらに、コール開始構成要素４０８は、モバイル・デバイス２０２で終了するコールにも同様に適用可能でありうることが考慮される。さらなる例によれば、モバイル・デバイス２０２によって発信されたか、あるいは、モバイル・デバイス２０２において終了する、マクロ・ネットワークを介して確立されたコールに関するフェムト・セル基地局における利用可能性を組み込むためのアクティブ・コール・ハンド・インがサポートされうることが認識されるべきである。
【００６２】
例によれば、アイドル・モード探索中、モバイル・デバイス２０２は、再選択のために適切な、最高ランク（例えば、パイロット強度測定構成要素２１０によって測定されたような最強のパイロット、最高の信号品質等）に関連付けられた（例えば、他の基地局２０６−２０８のうちの１つである）特定のフェムト・セル基地局からのパイロットに遭遇しうる。したがって、タイマ構成要素２１４は、ある期間、リンガ・タイマを設定しうる（例えば、モバイル・デバイス２０２は、この期間中、ＤＲＸサイクル・アクティビティを再開しうる）。さらに、特定のフェムト・セル基地局からのパイロットが、リンガ・タイマの終了後であっても、（例えば、パイロット強度測定構成要素２１０によって測定されたように）未だに最高位にランクしているのであれば、エントリ構成要素４０４は、特定のフェムト・セル基地局の再選択を可能にしうる。別の例によれば、エントリ構成要素４０４は、フィルタリング・アルゴリズムを適用しうる。ここでは、リンガ・タイマに関連付けられた期間中、パイロット強度測定構成要素２１０によって、パイロット強度／信号品質のＮ個のサンプルが収集されうる。そして、ＭとＮとはそれぞれ整数であり、Ｍは、Ｎ以下である場合、特定のフェムト・セル基地局からのパイロットが、Ｎ個のサンプルのうちの少なくともＭ個について最高位にランクしている限り、この特定のフェムト・セル基地局が再選択されうる。しかしながら、権利主張される主題は、前述の例に限定されないことが認識されるべきである。
【００６３】
別の例によれば、（例えば、他の基地局２０６−２０８のうちの１つである）所与のフェムト・セル基地局からの特定のパイロットの信号品質が、エントリしきい値を超えていることを、しきい値分析構成要素４０２が識別する。これに基づいて、タイマ構成要素２１４が、リンガ・タイマを起動しうる。この例によれば、リンガ・タイマが動作している間、特定のパイロットの信号品質が、エントリしきい値よりも低下した場合（例えば、特定のパイロットの信号品質の連続的な測定値が使用される場合）、タイマ構成要素２１４は、有効通信範囲の品質が、エントリしきい値を再び上回るまで、リンガ・タイマを停止し、所与のフェムト・セル基地局の選択が（例えば、エントリ構成要素４０４によって）キャンセルされうる。例えば、タイマ構成要素２１４は、信号品質がエントリしきい値を超えるまで、リンガ・タイマを休止させうる。別の例示によれば、タイマ構成要素２１４は、リンガ・タイマを最初の期間へと再起動させることができる。繰り返すが、権利主張される主題は、前述の例に限定されないことが認識されるべきである。
【００６４】
図５を参照して、無線通信環境において、モバイル・デバイス（例えば、モバイル・デバイス２０２）を、他の基地局２０６−２０８（例えば、好ましくないフェムト・セル基地局、マクロ・セル基地局）に優先して、好ましいフェムト・セル基地局（例えば、ソース基地局２０４）に引き続き関連付けることを可能にするシステム５００が例示される。システム５００は、ソース基地局２０４に関連付けられうるモバイル・デバイス２０２を含む。例によれば、ソース基地局２０４は、（例えば、タイプ識別構成要素２１２およびプリファランス認識構成要素３０２によって認識されたような）好ましいフェムト・セル基地局でありうる。さらに、他の基地局２０６−２０８が、モバイル・デバイス２０２の近傍内に存在しうる。
【００６５】
モバイル・デバイス２０２は、好ましいフェムト・セル基地局において、効果的なページングおよびトラフィック動作が取り扱われる限り、（例えば、ソース基地局２０４のような）好ましいフェムト・セル基地局に引き続き関連付けられうる。例によれば、パイロット強度測定構成要素２１０によってモニタされたような、他の基地局２０６−２０８（例えば、近隣のマクロ・セル基地局（単数または複数）、好ましくないフェムト・セル基地局（単数または複数））からのパイロットの信号品質に関わらず、ハンドオーバ選択構成要素２１６（例えば、エントリ構成要素４０４）によって、モバイル・デバイス２０２は、好ましいフェムト・セル基地局に引き続き関連付けられうる。したがって、好ましいフェムト・セル基地局のプリファランスがサポートされうる。例えば、モバイル・デバイス２０２は、好ましいフェムト・セル基地局に関連付けられると、好ましいフェムト・セル基地局が、ドロップしきい値（例えば、−１６ｄＢのＴｄｒｏｐしきい値）よりも高い値を維持している限り、好ましいフェムト・セル基地局に残り、これによって、好ましいフェムト・セル基地局にスティッキーに関連付けられることが可能となる。さらに、ハンドオーバ選択構成要素２１６によって使用されるしきい値は、好ましいフェムト・セル基地局との積極的な関連付けを可能にしうる。
【００６６】
エントリ構成要素４０４はさらに、ソース基地局２０４からハンドオフするかを評価する場合に、適用されるべきヒステリシス・レベルを実施するヒステリシス構成要素５０２を含みうる。したがって、エントリ構成要素４０４は、他の基地局２０６−２０８のうちの特定の１つからのパイロットの信号品質、ソース基地局２０４からのパイロットの信号品質、およびヒステリシス・レベルに応じて、ソース基地局２０４から、他の基地局２０６−２０８のうちの特定の１つへハンドオフするかを選択しうる。例として、エントリ構成要素４０４は、他の基地局２０６−２０８のうちの特定の１つの信号品質を、ソース基地局２０４の信号品質に、ヒステリシス構成要素５０２によって提供されたヒステリシス・レベルを加えたものと比較しうる。エントリ構成要素４０４は、他の基地局２０６−２０８のうちの特定の１つの信号品質が、ソース基地局ソース基地局２０４の信号品質に、ヒステリシス・レベルを加えたものを超える場合、他の基地局２０６−２０８のうちの特定の１つに登録することを選択しうる。そうではない場合、エントリ構成要素４０４は、モバイル・デバイス２０２を、引き続きソース基地局２０４に関連付けさせうる。
【００６７】
ヒステリシス構成要素５０２によって利用されるヒステリシス・レベルは、ソース基地局２０４のタイプに応じうる。例えば、マクロ・セル基地局にキャンプしている場合には、ヒステリシス・レベルは、３ｄＢでありうる一方、フェムト・セル基地局にキャンプしている場合には、６ｄＢでありうる。さらに、好ましいフェムト・セル基地局と、好ましくないフェムト・セル基地局とが、異なるヒステリシス・レベルに関連付けられうることが考慮される。ヒステリシス構成要素５０２によって提供される異なるヒステリシス・レベルを導入することによって、好ましいフェムト・セル基地局に入るためのしきい値と、出るためのしきい値とは異なりうる。これによって、モバイル・デバイス２０２は、有効なサービスがモバイル・デバイス２０２へ提供されている限り、引き続き好ましいフェムト・セル基地局へ関連付けられるようになる。
【００６８】
図６に移って、無線通信環境において、アイドル・ハンドオフ手順に関連するオフ周波数スキャン（ＯＦＳ）を実行するシステム６００が例示される。システム６００は、モバイル・デバイス２０２、ソース基地局２０４、および他の基地局２０６−２０８を含む。本明細書で説明するように、モバイル・デバイス２０２は、パイロット強度測定構成要素２１０、タイプ識別構成要素２１２、タイマ構成要素２１４、およびハンドオーバ選択構成要素２１６を含みうる。
【００６９】
モバイル・デバイス２０２はさらに、所与の地理的領域内で、複数の動作チャネルが適用される場合、ソース基地局２０４に関連付けられたチャネル以外のチャネル（単数または複数）で、他の基地局２０６−２０８からのパイロット（単数または複数）を発見するために、オフ周波数スキャンを有効にしうる。オフ周波数スキャン構成要素６０２は、例えば、受信されたフェムト近隣リスト・メッセージ（ＦＮＬＭ）に含まれるインジケーションに基づいてオフ周波数スキャンを実行しうる。この例によれば、ＦＮＬＭは、好ましいフェムト・セル基地局が近くに位置しており、所与のチャネルで操作することを明示しうる。
【００７０】
さらに、ＦＮＬＭは、モバイル・デバイス２０２が、オフ周波数フェムト・セル基地局近隣を求めてスキャンを実行することになっている場合、（例えば、オフ周波数スキャン構成要素６０２によって区別されるように）ＴＲＵＥ（真）に設定されたＦｅｍｔｏ＿Ｐｒｅｆｅｒｒｅｄ  ｐａｒａｍｅｔｅｒ（好ましいフェムト・パラメータ）のための値と、モバイル・デバイス２０２がそのようなオフ周波数スキャンを実行しないことになっている場合、（例えば、オフ周波数スキャン構成要素６０２によって認識されるように）ＦＡＬＳＥ（偽）に設定されたＦｅｍｔｏ＿Ｐｒｅｆｅｒｒｅｄ  ｐａｒａｍｅｔｅｒ（好ましいフェムト・パラメータ）のための値とを含みうるＦｅｍｔｏ＿ＰｒｅｆｅｒｒｅｄがＦＡＬＳＥに設定されている場合、モバイル・デバイス２０２は、好ましくないフェムト・セル基地局を求めるオフ周波数スキャンの実行をスキップしうる。したがって、このようなシナリオの下では、モバイル・デバイス２０２は、水平方向の近傍を見つけるためにＦＮＬＭを使用しうる。さらに、Ｆｅｍｔｏ＿ＰｒｅｆｅｒｒｅｄがＴＲＵＥに設定されている場合、モバイル・デバイス２０２は、ＦＮＬＭに提供された情報に基づいて、水平方向および垂直方向のフェムト近隣（例えば、好ましくないフェムト・セル基地局）を探索しうる。さらに、現在のシステム低下に基づいて、モバイル・デバイス２０２は、フェムト・オフ周波数近隣を、マクロ・オフ周波数近隣として取り扱い、マクロ・オフ周波数スキャンを実行することに類似したオフ周波数スキャンを実行しうる。
【００７１】
さらなる例によれば、オフ周波数スキャン構成要素６０２は、オフ周波数パイロットを求めて定期的にスキャンしうる。したがって、例えば、オフ周波数スキャン構成要素６０２は、（例えば、好ましいフェムト・セル基地局のゾーン内にある場合）ＮＯＦＳＦｅｍｔｏＮｅｉｇｈｂｏｒウェイクアップ・サイクル毎に一度、好ましいフェムト・セル基地局を求めて、オフ周波数スキャンを実行しうる。ここで、ＮＯＦＳＦｅｍｔｏＮｅｉｇｈｂｏｒは、実質的に１以上の任意の整数でありうる。他の例によれば、オフ周波数スキャン構成要素６０２は、現在の周波数におけるパイロットが、あるしきい値を下回り、現在のチャネルで送信された少なくとも１つのオフ周波数パイロットが存在し、モバイル・デバイス２０２がハンドオフするであろう少なくとも１つのオフ周波数近隣が存在する可能性があることを示す場合、オフ周波数スキャンを有効にしうる。
【００７２】
その他さまざまな態様が、本明細書に記載された主題に関連付けられうる。例によれば、モバイル・デバイス（例えば、モバイル・デバイス２０２）は、１Ｘフェムト・セル基地局に関連付けられ、ＥＶ−ＤＯシステムを取り扱うために、さまざまな可能な構成が使用されうる。例えば、１Ｘフェムト・セル基地局は、関連付けられたＥＶ−ＤＯシステム無しで動作しうる。他の例によれば、１Ｘフェムト・セル基地局と、ＥＶ−ＤＯマクロ・セル基地局とを用いたハイブリッド・モードがサポートされうる。他の例によれば、ハイブリッド・モードは、１Ｘフェムト・セル基地局とＥＶ−ＤＯフェムト・セル基地局とを用いてサポートされうる。しかしながら、権利主張された主題は、前述したものに限定されないと認識されるべきである。
【００７３】
図７乃至図９に示すように、無線通信環境において、フェムト・セル基地局に関する強化されたアイドル・ハンドオフ手順を有効にすることに関連する方法が図示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００７４】
図７に移って、無線通信環境において、アイドル・ハンドオフを有効にするかを評価することを容易にする方法７００が例示される。７０２では、基地局から受信したパイロットの信号品質が測定されうる。例えば、信号品質は、パイロットの強度でありうる。別の例示によれば、信号品質は、キャリアで受信された合計の信号強度に対する、受信したパイロットの強度でありうる。例によれば、パイロットは、モバイル・デバイスがソース基地局に関連付けられている（例えば、キャンプしている）間に、モバイル・デバイスによって、近隣の基地局から受信されうる。さらに、複数の近隣の基地局から受信した複数のパイロットの各信号品質が測定されうることが考慮される。
【００７５】
７０４では、パイロットが受信された基地局が、フェムト・セル基地局であるか、あるいは、マクロ・セル基地局であるかに関する識別が有効とされうる。例えば、基地局タイプは、好ましいユーザ・ゾーン・リスト（ＰＵＺＬ）、フェムト近隣リスト・メッセージ（ＦＮＬＭ）、アクセス・ポイント識別メッセージ（ＡＰＩＤＭ）、プライマリ同期コード（ＰＳＣ）、これらの組み合わせ等に基づいて識別されうる。さらに、基地局が、フェムト・セル基地局であると識別された場合、フェムト・セル基地局が、好ましいか、あるいは、好ましくないかが認識されうる。例えば、フェムト・セル基地局が、好ましいフェムト・セル基地局であるか、あるいは、好ましくないフェムト・セル基地局であるかは、アイドル・ハンドオフを実行することなく、フェムト・セル基地局からのページング・チャネルを読み取ることによって識別されうる。この例によれば、喪失ページを回避するために、スリープ・サイクルの間、フェムト・セル基地局のページング・チャネルが読み取られうる。
【００７６】
７０６では、パイロットの信号品質が、エントリしきい値を超え、基地局がフェムト・セル基地局であると識別された場合、リンガ・タイマが起動されうる。例示によれば、リンガ・タイマは、パイロット毎ベースで実施されうる。したがって、それぞれのリンガ・タイマは、エントリしきい値を上回る対応する信号品質に関連付けられた各受信パイロットについて起動される。他の例によれば、受信されたすべてのパイロットについて、共通のリンガ・タイマが使用されたり（例えば、共通のリンガ・タイマが、受信した最強のパイロットに関連付けられたり）、好ましいフェムト・セル基地局のために第１のリンガ・タイマが利用され、好ましくないフェムト・セル基地局のために第２のリンガ・タイマが利用されたり等しうる。リンガ・タイマに関連付けられた期間中、モバイル・デバイスは、リンガ・タイマを起動したパイロットに対応する、フェムト・セル基地局であると識別された基地局へハンドオフすることなく、ソース基地局に引き続き関連付けられうる。
【００７７】
７０８では、リンガ・タイマが終了すると、基地局から受信したパイロットの信号品質のその後の少なくとも１つの測定値に応じて、基地局へのハンドオフが実行されうる。例によれば、パイロットのその後の１つの測定値が、リンガ・タイマの終了時または終了後に取得されうる。この例によれば、パイロットの信号品質のその後の１つの測定値が、エントリしきい値を上回っており、かつ、この基地局が、好ましいフェムト・セル基地局であると認識されたのであれば、リンガ・タイマの終了時に、基地局へのハンドオフが有効とされうる。さらに、基地局が、好ましくないフェムト・セル基地局として識別された場合、パイロットの信号品質のその後の１つの測定値が、エントリしきい値を上回っていれば、基地局へのアイドル・ハンドオフを実行するかを検出するために、リンガ・タイマが終了すると、少なくとも１つのアイドル・ハンドオフ条件が評価されうる。
【００７８】
別の例によれば、リンガ・タイマが起動されると、リンガ・タイマが終了するまで、パイロットの信号品質が連続的に測定されうる。この例によれば、パイロットの信号品質が、エントリしきい値を下回ると検出された場合、リンガ・タイマは、信号品質が、エントリしきい値を超えるレベルに戻るまで停止され、エントリしきい値を超えると、再び起動される等がなされうる。
【００７９】
さらなる例によれば、リンガ・タイマが起動されると、パイロットの信号品質が、Ｎ回測定されうる。ここで、Ｎは、実質的に任意の整数でありうる。例えば、パイロットの信号品質が、定期的にモニタされうる。この例によれば、基地局へのアイドル・ハンドオフを実行するかの判定は、Ｎ個のサンプルの平均がしきい値を超えるかに少なくとも部分的に基づいて有効とされうる。あるいは、基地局へのアイドル・ハンドオフが実行されるかは、Ｎ個のサンプルのうちの少なくともＭ個が、エントリしきい値を上回るかに少なくとも部分的に基づきうる。ここで、Ｍは、Ｎ以下の整数でありうる。
【００８０】
別の例によれば、リンガ・タイマが無視され、現在モバイル・デバイスに関連付けられているソース基地局から受信した現在のパイロットの条件が、あるレベルを下回る場合に、基地局へのアイドル・ハンドオフが、実行されうる。別の例によれば、好ましいフェムト・セル基地局の近傍内にあり、ソース基地局がマクロ・セル基地局である場合、モバイル・デバイスによって開始されるべきコールを行うために、リンガ・タイマの終了を待つことなく、フェムト・セル基地局へと入られる。
【００８１】
図８に示すように、無線通信環境において、好ましいフェムト・セル基地局との関連付けを保つことを容易にする方法８００が例示される。８０２では、好ましいソース・フェムト・セル基地局から受信されたパイロットの信号品質が測定されうる。８０４では、好ましいソース・フェムト・セル基地局から受信したパイロットの信号品質が、近隣の好ましくないフェムト・セル基地局または近隣のマクロ・セル基地局のうちの少なくとも１つからのパイロットの信号品質と独立しているドロップしきい値を上回り続けている間、モバイル・デバイスは、好ましいソース・フェムト・セル基地局に引き続き関連付けられうる。したがって、好ましいソース・フェムト・セル基地局において、効果的なページングおよびトラフィック動作が取り扱われている限り、モバイル・デバイスは、好ましくない近隣のフェムト・セル基地局、あるいは、近隣のマクロ・セル基地局へハンドオフするのではなく、好ましいソース・フェムト・セル基地局に引き続き関連付けられうる。８０６では、好ましいソース・フェムト基地局から受信したパイロットの信号品質よりも良好な信号品質を持つ他のパイロットに関連付けられた近隣の好ましいフェムト・セル基地局へのハンドオフが、リンガ・タイマを用いることなく有効とされうる。
【００８２】
例によれば、モバイル・デバイスは、マクロ・セル基地局から、（例えば、図７で説明したように）好ましい第１のフェムト・セル基地局へのアイドル・ハンドオフを有効としうる。好ましい第１のフェムト・セル基地局（例えば、好ましいソース・フェムト・セル基地局）へ接続されると、モバイル・デバイスは、好ましい第２のフェムト・セル基地局（例えば、好ましい近隣のフェムト・セル基地局）へハンドオフするために、リンガ・タイマを適用する必要はない。この例によれば、好ましいフェムト・セル基地局のために、１より多くのリンガ・タイマが使用される（例えば、図７の方法７００にしたがって、リンガ・タイマが、パイロット毎ベースで適用される）場合、モバイル・デバイスは、たとえ、好ましい第１のフェムト・セル基地局からのパイロットの信号品質が、好ましい第２のフェムト・セル基地局からのパイロットの信号品質よりも低い場合（例えば、対応するリンガ・タイマの終了時に、好ましい第１のフェムト・セル基地局からのパイロットの信号品質が、エントリしきい値を上回っている限り、好ましい第１のフェムト・セル基地局に関連付けられたリンガ・タイマが終了したときに、好ましい第２のフェムト・セル基地局に関連付けられたリンガ・タイマが、まだ終了していない場合）であっても、対応するリンガ・タイマが終了すると、マクロ・セル基地局から、好ましい第１のフェムト・セル基地局へ入りうる。その後、モバイル・デバイスは、リンガ・タイマを実施することに関連付けられた遅れ無しで、好ましい第１のフェムト・セル基地局から、好ましい第２のフェムト・セル基地局へハンドオフしうる。
【００８３】
図９に移って、無線通信環境において、好ましいフェムト・セル基地局のセットについて第１のリンガ・タイマを利用し、好ましくないフェムト・セル基地局のセットについて第２のリンガ・タイマを利用することを容易にする方法９００が例示される。９０２では、リンガ・タイマ（例えばＴ＿ｉｄｌｅ＿ｔｉｍｅｒ）が、最大値（例えば、Ｔ＿ＭＡＸ）に設定されうる。９０４では、現在のマクロ近隣パイロット強度、およびフェムト近隣パイロット強度が測定されうる。例えば、これら測定値は、ウェイクアップ・サイクル毎に収集されうる。さらに、最小しきい信号品質（例えば、Ｅｃｐ／Ｉｏ）＿ｉｄｌｅ＿ｍｉｎ）を上回るＰＮオフセットを求めて、フェムト・ターゲット・パイロット強度がフィルタされうる。（Ｅｃｐ／Ｉｏ）＿ｉｄｌｅ＿ｍｉｎは、リンガ・タイマをディセーブルすることによってアイドル・ハンドオフがトリガされる最小のＥｃｐ／Ｉｏレベル（例えば、−１２ｄＢ）でありうる。９０６では、モバイル・デバイスが現在キャンプしている基地局のＰＮオフセット（例えばＰＮ＿ｃａｍｐ）が、最強のパイロットに関連付けられるかが判定されうる。ＰＮ＿ｃａｍｐが、最強のパイロットに関連付けられている場合、方法９００は９０２に戻り、そうではない場合、方法９００は９０８に移る。
【００８４】
９０８では、モバイル・デバイスが現在キャンプしている基地局に関連付けられたパイロットの信号品質（例えば、（Ｅｃｐ／Ｉｏ）＿ｃａｍｐ）が、最小しきい値信号品質（例えば（Ｅｃｐ／Ｉｏ）＿ｉｄｌｅ＿ｍｉｎ）と比較されうる。（Ｅｃｐ／Ｉｏ）＿ｃａｍｐが、（Ｅｃｐ／Ｉｏ）＿ｉｄｌｅ＿ｍｉｎよりも大きい場合、方法９００は、９１０へ進み、そうではない場合、方法は、（例えば、モバイル・デバイスが現在キャンプしている基地局に関連付けられた信号品質が低下したことを考慮して、直ちにハンドオフするために、）９２６へ進みうる。９１０では、モバイル・デバイスが現在キャンプしている基地局以外の基地局からのパイロットの信号品質（例えばＰＮ＿（Ｅｃｐ／Ｉｏ））が、モバイル・デバイスが現在キャンプしている基地局に関連付けられたパイロットの信号品質（例えば、（Ｅｃｐ／Ｉｏ）＿ｃａｍｐ）に、ヒステリシス・レベル（例えば、Ｈｙｓ＿ｃａｍｐ）が加えられたものと比較されうる。ヒステリシス・レベルは、モバイル・デバイスがキャンプしている基地局のタイプに応じうる（例えば、マクロ・セル基地局にキャンプしている場合、３ｄＢであり、フェムト・セル基地局にキャンプしている場合、６ｄＢでありうる）。さらに、何れかのＰＮ＿（Ｅｃｐ／Ｉｏ）が、（Ｅｃｐ／Ｉｏ）＿ｃａｍｐに、Ｈｙｓ＿ｃａｍｐを加えたものよりも大きい場合、方法９００は、９１２に進み、そうではない場合、方法９００は、９０２へ戻る。
【００８５】
９１２では、マクロ・セル基地局、好ましいフェムト・セル基地局、および好ましくないフェムト・セル基地局について、ループが独立して実行されうる。例えば、方法９００は、マクロ・セル基地局の場合、９２６へ進む。さらに、好ましいフェムト・セル基地局の場合、方法９００は、９１４へ続く。９１４では、最強のパイロットを有する好ましいフェムト・セル基地局が、方法９００の前のループと異なる場合、好ましいフェムト・セル基地局のリンガ・タイマが、Ｔ＿ＭＡＸに設定されうる。９１６では、好ましいフェムト・セル基地局のリンガ・タイマが、１単位ずつデクリメント（例えば、好ましいＴ＿ｉｄｌｅ＿ｔｉｍｅｒ＝Ｔ＿ｉｄｌｅ＿ｔｉｍｅｒ−１）されうる。９１８では、好ましいフェムト・セル基地局のリンガ・タイマが０に等しい場合、方法９００は、９２６へ続く。そうではない場合、方法９００は、９０４へ戻って、別のループを実行する。同様に、好ましくないフェムト・セル基地局の場合、方法９００は、９１２から９２０へ続く。９２０では、最強のパイロットを持つ好ましくないフェムト・セル基地局が、方法９００の前のループと異なる場合、好ましくないフェムト・セル基地局のリンガ・タイマが、Ｔ＿ＭＡＸに設定されうる。９２２では、好ましくないフェムト・セル基地局のリンガ・タイマが、１単位ずつデクリメント（例えば、好ましくないＴ＿ｉｄｌｅ＿ｔｉｍｅｒ＝Ｔ＿ｉｄｌｅ＿ｔｉｍｅｒ−１）されうる。９２４では、好ましくないフェムト・セル基地局のリンガ・タイマが０に等しい場合、方法９００は、９２６へ進む。そうではなく、好ましくないフェムト・セル基地局のリンガ・タイマが０に等しくない場合、方法９００は、他のループを実行するために、９０４へ戻る。９２６では、アイドル・ハンドオフが、以下の優先順にしたがって実行されうる。１）好ましいフェムト・セル基地局が利用可能になる。２）好ましくないフェムト・セル基地局が利用可能になり、Ｆｅｍｔｏ＿Ａｇｇｒｅｓｓｉｖｅ＿Ａｃｑが設定される。３）利用可能な最強のパイロット。Ｆｅｍｔｏ＿Ａｇｇｒｅｓｓｉｖｅ＿Ａｃｑが設定されると、モバイル・デバイスは、例えば、ＦＮＬＭに提供された情報に基づいて、オフ周波数フェムト近隣を求めるスキャンを実行する。方法９００は９２６から９０２へ戻る。
【００８６】
しかしながら、権利主張される主題は、図９に示される例に限定されないことが認識されるべきである。むしろ、方法９００は、単に例示目的のために示されており、権利主張される主題は、それに限定されないことが考慮されるべきである。例えば、リンガ・タイマは、おのおののパイロットのために独立して適用され、これらパイロットの信号品質は、連続的に、定期的に、あるいは、リンガ・タイマが終了したとき等に測定されうることが考慮される。
【００８７】
本明細書に記載された１または複数態様によれば、無線通信環境において、フェムト・セル基地局に関連してアイドル・ハンドオフを実行することに関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００８８】
例によれば、上述した１または複数の方法は、パイロットが受信された基地局のタイプ、および／または、（例えば、この基地局が、フェムト・セル基地局である場合、）この基地局が好ましいか、あるいは、好ましくないかを判定することに関する推論を行うことを含みうる。さらなる例によれば、アイドル・ハンドオフを有効にするかを選択することに関して推論がなされうる。前述した例は本質的には例示的であり、本明細書に記載されたさまざまな実施形態および／または方法と連携してなされうる推論の数、あるいは、そのような推論がなされる方式を限定することは意図されていないことが認識されるだろう。
【００８９】
図１０は、無線通信システムにおいてアイドル・ハンドオフを実行するかを評価するモバイル・デバイス１０００の例示である。モバイル・デバイス１０００は、例えば受信アンテナ（図示せず）から信号を受信し、受信した信号について一般的な動作（例えば、フィルタ、増幅、ダウンコンバート等）を実行し、この調整された信号をデジタル化してサンプルを得る受信機１００２を備える。受信機１００２は、例えばＭＭＳＥ受信機であり、受信したシンボルを復調し、それらをチャネル推定のためにプロセッサ１００６へ送る復調器１００４を備えうる。プロセッサ１００６は、受信機１００２によって受信された情報の分析、および／または、送信機１０１６による送信のための情報の生成に特化されたプロセッサであるか、モバイル・デバイス１０００の１または複数の構成要素を制御するプロセッサであるか、および／または、受信機１００２によって受信された情報の分析と、送信機１０１６による送信のための情報の生成と、モバイル・デバイス１０００の１または複数の構成要素の制御との両方を行うプロセッサでありうる。
【００９０】
モバイル・デバイス１０００はさらに、プロセッサ１００６に動作可能に接続され、送信されるべきデータ、受信したデータ、および、本明細書に記載されたさまざまな動作および機能を実行することに関連するその他任意の適切な情報を格納しうるメモリ１００８（例えば、メモリ３１０）を備えうる。メモリ１００８は、例えば、受信したパイロットの信号品質を測定すること、基地局のタイプを識別すること、フェムト・セル基地局が好ましいか、好ましくないかを認識すること、リンガ・タイマの起動および／または制御を行うとこと等に関連するプロトコルおよび／またはアルゴリズムを格納しうる。さらに、メモリ１００８は、アイドル・ハンドオフを実行するかを選択することに関連付けられたプロトコルおよび／またはアルゴリズムを格納しうる。
【００９１】
本明細書に記載されたデータ・ストア（例えば、メモリ１００８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ１００８は、限定される訳ではないが、これらおよびその他任意の適切なタイプのメモリを備えることが意図される。
【００９２】
プロセッサ１００６は、タイマ構成要素１０１０および／またはハンドオーバ選択構成要素１０１２へ動作可能に接続されうる。タイマ構成要素１０１０は、図２のタイマ構成要素２１４に実質的に類似しうるか、および／または、ハンドオーバ選択構成要素１０１２は、図２のハンドオーバ選択構成要素２１６に実質的に類似しうる。モバイル・デバイス１０００が、近隣基地局から、エントリしきい値を超えるパイロットの信号品質を検出すると、タイマ構成要素１０１０は、リンガ・タイマを起動しうる。さらに、リンガ・タイマが終了すると、ハンドオーバ選択構成要素１０１２は、近隣基地局からのパイロットに関連付けられた信号品質の１または複数のその後の測定値に少なくとも部分的に基づいて、近隣基地局へハンドオーバするかを評価しうる。図示していないが、モバイル・デバイス１０００はさらに、（例えば、図２のパイロット強度測定構成要素２１０に実質的に類似した）パイロット強度測定構成要素、（例えば、図２のタイプ識別構成要素２１２に実質的に類似した）タイプ識別構成要素、（例えば、図３のプリファランス認識構成要素３０２に実質的に類似した）プリファランス認識構成要素、（例えば、図３の発見構成要素３０４に実質的に類似した）発見構成要素、（例えば、図３のメッセージ評価構成要素３０６に実質的に類似した）メッセージ評価構成要素、（例えば、図３のデータベース分析構成要素３０８に実質的に類似した）データベース分析構成要素、（例えば、図４のしきい値分析構成要素４０２に実質的に類似した）しきい値分析構成要素、（例えば、図４のエントリ構成要素４０４に実質的に類似した）エントリ構成要素、（例えば、図４のキャンプ・パイロット低下構成要素４０６に実質的に類似した）キャンプ・パイロット低下構成要素、（例えば、図４のコール開始構成要素４０８に実質的に類似した）コール開始構成要素、（例えば、図５のヒステリシス構成要素５０２に実質的に類似した）ヒステリシス構成要素、および／または、（例えば、図６のオフ周波数スキャン構成要素６０２に実質的に類似した）オフ周波数スキャン構成要素を含みうる。モバイル・デバイス１０００はさらに、変調器１０１４と、データ、信号等を基地局へ送信する送信機１０１６とを備える。プロセッサ１００６と別に示されているが、タイマ構成要素１０１０、ハンドオーバ選択構成要素１０１２、および／または、変調器１０１４は、プロセッサ１００６または複数のプロセッサ（図示せず）の一部でありうることが認識されるべきである。
【００９３】
図１１は、無線通信環境においてパイロットを送信するシステム１１００の例示である。システム１１００は、複数の受信アンテナ１１０６を介して１または複数のモバイル・デバイス１１０４から信号（単数または複数）を受信する受信機１１１０と、送信アンテナ１１０８を介して１または複数のモバイル・デバイス１１０４へ送信する送信機１１２０と、を有する基地局１１０２（例えば、アクセス・ポイント）を備える。受信機１１１０は、受信アンテナ１１０６から情報を受信する。さらに、受信した情報を復調する復調器１１１２と動作可能に関連付けられている。復調されたシンボルは、図１０に関して上述されたプロセッサに類似しており、モバイル・デバイス（単数または複数）１１０４へ送信されるべきデータ、または、モバイル・デバイス（単数または複数）１１０４から受信したデータ、および／または、本明細書に記載されたさまざまな動作および機能を実行することに関連するその他任意の適切な情報を格納するメモリ１１１６に接続されているプロセッサ１１１４によって分析される。プロセッサ１１１４はさらに、変調器１１１８に接続されている。変調器１１１８は、前述した記載にしたがって、送信機１１２０によってアンテナ１１０８を介してモバイル・デバイス（単数または複数）１１０４へ送信されるフレームを多重化しうる。プロセッサ１１１４と別に示されているが、変調器１１１８は、プロセッサ１１１４または多くのプロセッサ（図示せず）のうちの一部でありうることが認識されるべきである。
【００９４】
いくつかの態様では、本明細書に記載された技術は、マクロ・スケールの有効通信範囲（例えば、一般にマクロ・セル・ネットワークと称される３Ｇネットワークのような大規模なセルラ・ネットワーク）およびより小規模な有効通信範囲（例えば、住宅ベースまたはビルディング・ベースのネットワーク環境）を含むネットワーク内に適用されうる。アクセス端末（“ＡＴ”）（例えば、モバイル・デバイス）が、そのようなネットワークの中を移動すると、マクロ有効通信範囲を提供するアクセス・ノード（“ＡＮ”）（例えば、基地局）によって、特定の場所においてサービス提供される一方、小規模な有効通信範囲を提供するアクセス・ノードによって、その他の場所においてサービス提供されうる。いくつかの態様では、増加する容量成長、ビルディング内の有効通信範囲、および、（例えば、より強固なユーザ経験のための）その他のサービスを提供するために、小規模な有効通信範囲ノードが使用される。本明細書に記載された説明では、比較的広範囲にわたる有効通信範囲を提供するノードは、マクロ・ノード（例えば、マクロ・セル基地局）と称されうる。比較的小さな領域（例えば、住宅）にわたって有効通信範囲を提供するノードは、フェムト・ノード（例えば、フェムト・セル基地局）と称される。マクロ領域よりも小さく、フェムト領域よりも大きな領域にわたって有効通信範囲を提供するノードは、（例えば、商業ビルディング内に有効通信範囲を提供する）ピコ・ノードと称される。
【００９５】
マクロ・ノード、フェムト・ノードあるいはピコ・ノードに関連付けられたセルは、マクロ・セル、フェムト・セル、あるいはピコ・セルとそれぞれ称される。いくつかの実施例では、おのおののセルがさらに、１または複数のセクタに関連付けられる（分割される）。
【００９６】
さまざまなアプリケーションでは、マクロ・ノード、フェムト・ノード、あるいはピコ・ノードを称して、その他の用語が使用されうる。例えば、マクロ・ノードは、アクセス・ノード、基地局、アクセス・ポイント、ｅノードＢ、マクロ・セル、マクロ・セル基地局等として構成または参照されうる。さらに、フェムト・ノードは、ホーム・ノードＢ、ホームｅノードＢ、アクセス・ポイント基地局、フェムト・セル、フェムト・セル基地局等として構成または参照されうる。
【００９７】
図１２は、多くのユーザをサポートするように構成され、本明細書に記載された教示が実施される無線通信システム１２００を例示する。システム１２００は、例えば、マクロ・セル１２０２Ａ−１２０２Ｇのような複数のセル１２０２のための通信を提供する。ここで、おのおののセルは、対応するアクセス・ノード１２０４（例えば、アクセス・ノード１２０４Ａ−１２０４Ｇ）によってサービス提供されている。図１２に示すように、アクセス端末１２０６（例えばアクセス端末１２０６Ａ−１２０６Ｌ）は、時間にわたって、システム１２００中のさまざまな場所に分散されうる。アクセス端末１２０６はおのおのの、例えば、アクセス端末１２００がアクティブであるか、および、ソフト・ハンドオフにあるかに依存して、所与の時間において、順方向リンク（“ＦＬ”）および／または逆方向リンク（“ＲＬ”）で、１または複数のアクセス・ノード１２０４と通信しうる。無線通信システム１２００は、大規模な地理的領域にわたってサービスを提供することができる。例えば、マクロ・セル１２０２Ａ−１２０２Ｇは、近隣における少数のブロックしかカバーしないかもしれない。
【００９８】
図１３は、ネットワーク環境において、１または複数のフェムト・ノードがネットワーク環境内で展開されている典型的な通信システム１３００を例示する。特に、システム１３００は、（例えば、１または複数のユーザ住居１３３０内の）比較的小規模なネットワーク環境に備えられた複数のフェムト・ノード１３１０（例えば、フェムト・ノード１３１０Ａ、１３１０Ｂ）を含む。おのおののフェムト・ノード１３１０は、ＤＳＬルータ、ケーブル・モデム、無線リンク、あるいは（図示しない）その他の接続手段を介して、広域ネットワーク１３４０（例えば、インターネット）およびモバイル・オペレータ・コア・ネットワーク１３５０へ接続されうる。以下に説明するように、おのおののフェムト・ノード１３１０は、関連付けられたアクセス端末１３２０（例えば、アクセス端末１３２０Ａ）と、オプションとして、エイリアン・アクセス端末１３２０（例えば、アクセス端末１３２０Ｂ）にサービス提供するように構成されうる。言い換えると、フェムト・ノード１３１０へのアクセスが制限され、これによって、所与のアクセス端末１３２０が、指定された（例えば、住宅）フェムト・ノード（単数または複数）１３１０のセットによってサービス提供されるが、指定されていない何れのフェムト・ノード１３１０（例えば、近隣のフェムト・ノード１３１０）によってもサービス提供されない。
【００９９】
図１４は、おのおのがいくつかのマクロ有効通信範囲エリアを含むいくつかのトラッキング・エリア１４０２（または、ルーティング・エリアあるいはロケーション・エリア）が定義された有効通信範囲マップ１４００の例を示す。ここでは、トラッキング・エリア１４０２Ａ、１４０２Ｂ、１４０２Ｃに関連付けられた有効通信範囲のエリアが、太線で示され、マクロ有効通信範囲エリア１４０４が、六角形によって示されている。トラッキング・エリア１４０２は、フェムト有効通信範囲エリア１４０６をも含んでいる。この例において、フェムト有効通信範囲エリア１４０６（例えば、フェムト有効通信範囲エリア１４０６Ｃ）のおのおのは、マクロ有効通信範囲エリア１４０４（例えば、マクロ有効通信範囲エリア１４０４Ｂ）内に示されている。しかしながら、フェムト有効通信範囲エリア１４０６は、マクロ有効通信範囲エリア１４０４内に全体的に位置していなくても良いことが認識されるべきである。実際、所与のトラッキング・エリア１４０２またはマクロ有効通信範囲エリア１４０４を用いて、極めて多くのフェムト有効通信範囲エリア１４０６が定義される。さらに、１または複数のピコ有効通信範囲エリア（図示せず）が、所与のトラッキング・エリア１４０２あるいはマクロ有効通信範囲エリア１４０４内で定義されうる。
【０１００】
図１３に再び示すように、フェムト・ノード１３１０の所有者は、モバイル・オペレータ・コア・ネットワーク１３５０によって提供される、例えば、３Ｇモバイル・サービスのようなモバイル・サービスへ申し込むことができる。さらに、アクセス端末１３２０は、マクロ環境と、小規模（例えば、住宅）ネットワーク環境との両方において動作可能でありうる。言い換えれば、アクセス端末１３２０の現在の場所に依存して、アクセス端末１３２０は、マクロ・セル・モバイル・ネットワーク１３５０のアクセス・ノード１３６０によって、あるいは、フェムト・ノード１３１０のセットのうちの何れか１つ（例えば、対応するユーザ住居１３３０内に存在するフェムト・ノード１３１０Ａ、１３１０Ｂ）によってサービス提供されうる。例えば、加入者が、住宅の外にいる場合、標準的なマクロ・アクセス・ノード（例えば、ノード１３６０）によってサービス提供され、住宅の中にいる場合、フェムト・ノード（例えば、ノード１３１０Ａ）によってサービス提供される。ここで、フェムト・ノード１３１０は、既存のアクセス端末１３２０との下位互換性を有しうることが認識されるべきである。
【０１０１】
フェムト・ノード１３１０は、単一の周波数で、あるいは、代替例では、複数の周波数で、展開される。特定の構成に依存して、単一の周波数、あるいは、多くの周波数のうちの１または複数は、マクロ・ノード（例えば、ノード１３６０）によって使用される１または複数の周波数とオーバラップしうる。
【０１０２】
いくつかの態様では、アクセス端末１３２０は、そのような接続が可能な場合にはいつでも、好ましいフェムト・ノード（例えば、アクセス端末１３２０のホーム・フェムト・ノード）に接続するように構成されうる。例えば、アクセス端末１３２０が、ユーザの住宅１３３０内に存在する場合には常に、アクセス端末１３２０は、ホーム・フェムト・ノード１３１０のみと通信することが望まれうる。
【０１０３】
いくつかの態様では、アクセス端末１３２０がマクロ・セルラ・ネットワーク１３５０内で動作するが、（好ましいローミング・リストで定義されたような）最も好ましいネットワークに存在していない場合、アクセス端末１３２０は、ベター・システム再選択（“ＢＳＲ”）を用いて、最も好ましいネットワーク（例えば、好ましいフェムト・ノード１３１０）を求める探索を続けることができる。これは、より良い（ベターな）システムが現在利用可能であるかを判定するために利用可能なシステムの定期的なスキャンと、そのように好ましいシステムと関連付けるためのその後の努力とを含みうる。アクセス端末１３２０は、獲得エントリを用いて、特定の帯域およびチャネルを求める探索を制限することができる。例えば、最も好ましいシステムを求める探索が、定期的に繰り返される。好ましいフェムト・ノード１３１０が発見されると、アクセス端末１３２０は、その有効通信範囲エリア内にキャンプするためのフェムト・ノード１３１０を選択する。
【０１０４】
フェムト・ノードは、いくつかの態様では、制限されうる。例えば、所与のフェムト・ノードは、あるアクセス端末に対してしか、あるサービスを提供することができない。いわゆる制限された（あるいは、クローズされた）関連付けを持つ構成では、所与のアクセス端末は、マクロ・セル・モバイル・ネットワーク、および、定義されたフェムト・セルのセット（例えば、対応するユーザ住居１３３０内に存在するフェムト・ノード１３１０）によってしかサービス提供されない。いくつかの実施例では、ノードは、少なくとも１つのノードについて、シグナリング、データ・アクセス、登録、ページング、あるいはサービスのうちの少なくとも１つを提供しないように制限される。
【０１０５】
いくつかの態様では、（クローズド加入者グループ・ホーム・ノードＢとも称されうる）制限されたフェムト・ノードは、プロビジョンされた、制限されたアクセス端末のセットへサービスを提供する１つである。このセットは、必要な場合、一時的にあるいは永久に拡張されうる。いくつかの態様では、クローズド加入者グループ（“ＣＳＧ”）は、アクセス端末の共通アクセス制御リストを共有するアクセス・ノード（例えば、フェムト・ノード）のセットとして定義されうる。領域内のすべてのフェムト・ノード（あるいは、制限されたすべてのフェムト・ノード）が動作するチャネルは、フェムト・チャネルと称される。
【０１０６】
したがって、所与のフェムト・ノードと、所与のアクセス端末との間には、さまざまな関係が存在する。例えば、アクセス端末の観点からは、オープンなフェムト・ノードは、制限された関連付けのないフェムト・ノードと称することができる。制限されたフェムト・ノードは、（例えば、関連付けおよび／または登録について制限されるように、）いくつかの方式で制限される。ホーム・フェムト・ノードは、アクセス端末がアクセスおよび動作を許可されているフェムト・ノードと称することができる。ゲスト・フェムト・ノードは、アクセス端末が、アクセスまたは動作が一時的にしか許可されていないフェムト・ノードを称することができる。エイリアン・フェムト・ノードは、アクセス端末が、恐らくは緊急事態（例えば、９１１コール）を除いて、アクセスまたは動作することを許可されていないフェムト・ノードを称することができる。
【０１０７】
制限されたフェムト・ノードの観点からは、ホーム・アクセス端末は、制限されたフェムト・ノードへアクセスすることを許可したアクセス端末を称することができる。ゲスト・アクセス端末は、制限されたフェムト・セルへの一時的なアクセスを有するアクセス端末を称することができる。エイリアン・アクセス端末は、例えば９１１コールのような緊急事態を除いて、制限されたフェムト・ノードへアクセスする許可を有しないアクセス端末（例えば、制限されたフェムト・ノードへ登録するための信用証書も許可も持たないアクセス端末）を称することができる。
【０１０８】
便宜上、本明細書における開示は、フェムト・ノードのコンテキストにおけるさまざまな機能について説明している。しかしながら、ピコ・ノードは、より大きな有効通信範囲エリアのためにも同じあるいは類似の機能を提供しうることが認識されるべきである。例えば、ピコ・ノードが制限され、所与のアクセス端末についてホーム・ピコ・ノードが定義される等である。
【０１０９】
無線多元接続通信システムは、複数の無線アクセス端末のための通信を同時にサポートすることができる。前述したように、おのおのの端末は、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力複数出力（“ＭＩＭＯ”）システム、あるいは、その他いくつかのタイプのシステムによって確立されうる。
【０１１０】
ＭＩＭＯシステムは、データ送信のために、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分解されうる。ここで、ＮＳ≦ｍｉｎ{ＮＴ，ＮＲ}である。ＮＳ個の独立チャネルのおのおのは、ディメンションに相当する。ＭＩＭＯシステムは、複数の送信アンテナおよび受信アンテナによって形成された追加のディメンションが利用される場合、向上された性能（例えば、より高いスループット、および／または、より高い信頼性）を与えることができる。
【０１１１】
ＭＩＭＯシステムは、時分割デュプレクス（“ＴＤＤ”）および周波数分割デュプレクス（“ＦＤＤ”）をサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントは、アクセス・ポイントにおいて複数のアンテナが利用可能である場合、順方向リンクで、ビームフォーミング利得を送信できるようになる。
【０１１２】
図１５は、無線通信システム１５００の例を示す。無線通信システム１５００は、簡潔さの目的で、１つの基地局１５１０と１つのモバイル・デバイス１５５０としか示していない。しかしながら、システム１５００は、１より多い基地局、および／または、１より多いモバイル・デバイスを含むことができ、これら追加の基地局および／またはモバイル・デバイスは、以下に説明する基地局１５１０およびモバイル・デバイス１５５０の例と実質的に同じでも、別のものでもありうることが認識されるべきである。さらに、基地局１５１０および／またはモバイル・デバイス１５５０は、その間の無線通信を容易にするために、システム（図１乃至６、１０乃至１４、１６）および／または方法（図７乃至９）を適用しうることが認識されるべきである。
【０１１３】
基地局１５１０では、多くのデータ・ストリームのためのトラフィック・データが、データ・ソース１５１２から送信（ＴＸ）データ・プロセッサ１５１４へ提供される。一例によれば、おのおののデータ・ストリームが、それぞれのアンテナを介して送信される。ＴＸデータ・プロセッサ１５１４は、トラフィック・データ・ストリームをフォーマットし、このデータ・ストリームのために選択された特定の符合化スキームに基づいて符号化し、インタリーブして、符合化されたデータを提供する。
【０１１４】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１５５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１５３０によって実行または提供される指示によって決定されうる。メモリ１５３２は、プロセッサ１５３０、あるいは、基地局１５１０のその他の構成要素によって使用されるプログラム・コード、データ、およびその他の情報を格納しうる。
【０１１５】
データ・ストリームの変調シンボルは、（例えば、ＯＦＤＭのために）変調シンボルを処理するＴＸ  ＭＩＭＯプロセッサ１５２０に提供される。ＴＸ  ＭＩＭＯプロセッサ１５２０はその後、ＮＴ個の変調シンボル・ストリームをＮＴ個の送信機（ＴＭＴＲ）１５２２ａ乃至１５２２ｔへ提供する。さまざまな実施形態において、ＴＸ  ＭＩＭＯプロセッサ１５２０は、データ・ストリームのシンボル、および、そのシンボルが送信されるアンテナへ、ビームフォーミング重みを適用する。
【０１１６】
おのおのの送信機１５２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１５２２ａ乃至１５２２ｔからのＮＴ個の変調信号が、ＮＴ個のアンテナ１５２４ａ乃至１５２４ｔからそれぞれ送信される。
【０１１７】
モバイル・デバイス１５５０では、送信された変調された信号が、ＮＲ個のアンテナ１５５２ａ乃至１５５２ｒによって受信され、おのおののアンテナ１５５２からの受信された信号が、それぞれの受信機（ＲＣＶＲ）１５５４ａ乃至１５５４ｒへ提供される。おのおのの受信機１５５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【０１１８】
ＲＸデータ・プロセッサ１５６０は、ＮＲ個の受信機１５５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１５６０は、検出されたおのおののシンボル・ストリームを復調し、デインタリーブし、復号して、そのデータ・ストリームのためのトラフィック・データを復元する。ＲＸデータ・プロセッサ１５６０による処理は、基地局１５１０におけるＴＸ  ＭＩＭＯプロセッサ１５２０およびＴＸデータ・プロセッサ１５１４によって実行されるものと相補的である。
【０１１９】
プロセッサ１５７０は、上述したように、どの事前符合化行列を使用するのかを定期的に決定する。さらに、プロセッサ１５７０は、行列インデクス部およびランク値部を備えた逆方向リンク・メッセージを規定することができる。
【０１２０】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース１５３６から受信するＴＸデータ・プロセッサ１５３８によって処理され、変調器１５８０によって変調され、送信機１５５４ａ乃至１５５４ｒによって調整され、基地局１５１０へ送り戻される。
【０１２１】
基地局１５１０では、モバイル・デバイス１５５０からの変調された信号が、受信機１５２２によって調整され、復調器１５４０によって復調され、ＲＸデータ・プロセッサ１５４２によって処理されることにより、モバイル・デバイス１５５０によって送信された逆方向リンク・メッセージが抽出される。さらに、プロセッサ１５３０は、ビームフォーミング重みを決定するためにどの事前符合化行列を使用するかを決定するために、この抽出されたメッセージを処理する。
【０１２２】
プロセッサ１５３０およびプロセッサ１５７０は、基地局１５１０およびモバイル・デバイス１５５０それぞれにおける動作を指示（例えば、制御、調整、管理等）する。プロセッサ１５３０およびプロセッサ１５７０はそれぞれ、プログラム・コードおよびデータを格納するメモリ１５３２およびメモリ１５７２に関連付けられうる。プロセッサ１５３０およびプロセッサ１５７０はまた、アップリンクおよびダウンリンクそれぞれのための周波数およびインパルス応答推定値を導出する計算をも実行する。
【０１２３】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロコントローラ、マイクロプロセッサ、本明細書に記載の機能を実行するために設計されたその他の電子ユニット、あるいはこれらの組み合わせ内に実装されうる。
【０１２４】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【０１２５】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【０１２６】
図１６を参照して、無線通信環境において、アイドル・ハンドオフを有効にすることを可能にするシステム１６００が例示される。例えば、システム１６００は、モバイル・デバイス内に存在しうる。システム１６００は、プロセッサ、ソフトウェア、またはそれらの組み合わせ（例えば、ファームウェア）によって実現される機能を表す機能ブロックでありうる機能ブロックを含むものとして示されることが認識されるべきである。システム１６００は、連携して動作しうる電子構成要素の論理グループ１６０２を含む。例えば、論理グループ１６０２は、基地局から取得したパイロットの信号品質を測定するための電子構成要素１６０４を含みうる。このパイロットは、他のソース基地局にキャンプしている間に、基地局から取得されうる。さらに、論理グループ１６０２は、パイロットが取得された基地局のタイプを認識するための電子構成要素１６０６を含みうる。例えば、基地局のタイプは、フェムト・セル基地局あるいはマクロ・セル基地局でありうる。さらに、論理グループ１６０２は、パイロットの信号品質がエントリしきい値を上回り、基地局がフェムト・セル基地局であると認識された場合に、リンガ・タイマを起動するための電子構成要素１６０８を含みうる。論理グループ１６０２はさらに、リンガ・タイマが終了すると、基地局から取得されたパイロットの信号品質のその後の１または複数の測定値に基づいて、基地局へのアイドル・ハンドオフを有効にするための電子構成要素１６１０を含みうる。論理グループ１６０２はまた、オプションとして、この基地局が好ましいか、好ましくないかを識別するための電子構成要素１６１２を含みうる。さらに、論理グループ１６０２は、オプションとして、パイロットの信号品質がドロップしきい値を下回っている間、基地局が、好ましいフェムト・セル基地局である場合、この基地局に引き続き関連付けるための電子構成要素１６１４を含みうる。さらに、システム１６００は、電子構成要素１６０４、１６０６、１６０８、１６１０、１６１２、１６１４に関連付けられた機能を実行するための命令群を保持するメモリ１６１６を含みうる。メモリ１６１６の外側にあると示されているが、電子構成要素１６０４、１６０６、１６０８、１６１０、１６１２、１６１４のうちの１または複数は、メモリ１６１６内に存在しうることが理解されるべきである。
【０１２７】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは順序回路を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【０１２８】
さらに、本明細書に開示された態様に関して記述された方法またはアルゴリズムのステップおよび／または動作は、ハードウェアによって直接的に、プロセッサによって実行されるソフトウェア・モジュールで、あるいは、これら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリートな構成要素として存在することができる。それに加えて、いくつかの態様では、方法またはアルゴリズムのステップおよび／または動作が、コンピュータ・プログラム製品に組み込まれうるマシン読取可能媒体および／またはコンピュータ読取可能媒体における命令群および／またはコードのうちの１つまたは任意の組み合わせまたはセットとして存在しうる。
【０１２９】
１または複数の態様では、  説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【０１３０】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2011530264.tif 000003
【図２】
2011530264.tif 000004
【図３】
2011530264.tif 000005
【図４】
2011530264.tif 000006
【図５】
2011530264.tif 000007
【図６】
2011530264.tif 000008
【図７】
2011530264.tif 000009
【図８】
2011530264.tif 000010
【図９】
2011530264.tif 000011
【図１０】
2011530264.tif 000012
【図１１】
2011530264.tif 000013
【図１２】
2011530264.tif 000014
【図１３】
2011530264.tif 000015
【図１４】
2011530264.tif 000016
【図１５】
2011530264.tif 000017
【図１６】
2011530264.tif 000018
【国際調査報告】
2011530264.tif 000019
2011530264.tif 000020
2011530264.tif 000021